(57)【特許請求の範囲】
【請求項１】
活動タグ読取器であって、
ハウジングと、
前記ハウジングの面にあるディスプレイと、
前記ハウジングの面の下方にあり且つ前記ハウジング内にあるスキャナであって、前記スキャナを含有する前記ハウジングの部分に近接し且つ前記ハウジングの面の上方に位置づけられた機械可読活動タグ要素を検出する当該スキャナと、
前記ハウジングの面上のアイコンであって、前記ハウジングの面の下方にある前記スキャナの位置を示す当該アイコンと、
前記スキャナ及び前記ディスプレイと通信する前記ハウジング内のコンピュータであって、前記スキャナによる前記機械可読活動タグ要素の検出に応答して前記ディスプレイを変えるためのコンピュータ可読命令を含む当該コンピュータと、
前記ディスプレイを含有する前記ハウジングの面の一部分の周りに前記活動タグ読取器の上方境界を形成するベゼルであって、前記ベゼルは、前記コンピュータからの電気信号に反応して通信可能であり、前記活動タグ読取器によって提供されるオペレーション、警告、又はフィードバックに対応する視覚的な表示を提示する当該ベゼルと、
を含むことを特徴とする活動タグ読取器。
【請求項２】
前記ハウジングの面上に複数のユーザ対話ボタンを更に含む、請求項１に記載の活動タグ読取器。
【請求項３】
前記ハウジング内のスキャナは、前記ディスプレイの一方の側で前記ハウジングの面の下方に配置され、
複数のユーザ対話ボタンが、前記ディスプレイの反対側で前記ハウジングの面に配置される、請求項１に記載の活動タグ読取器。
【請求項４】
前記ベゼルは、前記ハウジングの周囲を定義するベゼルを形成しながら前記面の周りに延び、
前記ユーザ対話ボタン、及び前記スキャナの位置を示す前記ハウジングの面上の前記アイコンは、前記ハウジングの周囲を定義するベゼル内に存在する、請求項３に記載の活動タグ読取器。
【請求項５】
前記ベゼルは、色の変化が生じ、前記コンピュータからの命令に応答して色を変えるように適応かつ構成される、請求項４に記載の活動タグ読取器。
【請求項６】
前記コンピュータ可読命令は、前記スキャナに固有の機械可読活動タグ要素の対話に基づいて、所定数の状態のうちの各１つに関する固有のアイコンを前記ディスプレイ上に表示するための命令を含む、請求項１に記載の活動タグ読取器。
【請求項７】
前記コンピュータ可読命令は、前記機械可読活動タグ要素に関連するユーザ活動の４つの所定の活動ステータス状態のうちの各１つに関する固有のアイコンを前記ディスプレイ上に表示するための命令を含む、請求項１に記載の活動タグ読取器。
【請求項８】
前記ユーザ活動の４つの所定の活動ステータス状態は、完了した予定された活動、未完了の将来の活動、未完了の予定された活動、及び追加の未予定の活動である、請求項７に記載の活動タグ読取器。
【請求項９】
前記ユーザ活動の４つの所定の活動ステータス状態は、１又は２以上の錠剤を摂取するユーザの前記ユーザ活動に関連付けられる、請求項８に記載の活動
タグ読取器。
【請求項１０】
前記ベゼルの色変化は、前記機械可読活動タグ要素と前記スキャナとの間の対話の結果として、前記コンピュータからの命令に応答した前記ユーザ活動の４つの所定の活動ステータス状態の各１つに反応している、請求項７に記載の活動タグ読取器。
【請求項１１】
前記機械可読活動タグ要素は、８ビット未満のデータを含有する、請求項１に記載の活動タグ読取器。
【請求項１２】
前記機械可読活動タグ要素は、約１ビットのデータを含有する、請求項１に記載の活動タグ読取器。
【請求項１３】
前記機械可読活動タグ要素は、該機械可読活動タグ要素をユーザ選択式活動タグに関連付けるのに使用されるデータのみを含有する、請求項１に記載の活動タグ読取器。
【請求項１４】
前記機械可読活動タグ要素は、該機械可読活動タグ要素をユーザ選択式アイコンに関連付けるのに使用されるデータのみを含有する、請求項１に記載の活動タグ読取器。
【請求項１５】
前記スキャナが機械可読活動タグ要素と相互作用した時、前記ベゼルは色を変え、又は活動タグ読取器が音を発する、請求項１に記載の活動タグ読取器。
【請求項１６】
前記ベゼルは、健康の表示、活動の完了、又は活動の予定に対する順守の程度のうちの１又は２以上である事前選択式ユーザ活動ステータスと同一であるとして選択された固有の色に色を変える、請求項１５に記載の活動タグ読取器。
【請求項１７】
活動タグ読取器によって発せられる前記音は、健康の表示、活動の完了、又は活動の予定に対する順守の程度のうちの１又は２以上である事前選択式ユーザ活動ステータスと同一であるとして選択された固有の音に音を変える、請求項１５に記載の活動タグ読取器。
【請求項１８】
事前選択式ユーザ活動ステータスが、健康の表示、活動の完了、又は活動の予定に対する順守の程度のうちの１又は２以上である、請求項６に記載の活動タグ読取器。
【請求項１９】
前記所定数の状態がユーザの個人的特徴に対応する、請求項６に記載の活動タグ読取器。
【請求項２０】
前記コンピュータ可読命令は、前記機械可読活動タグ要素に結合する物体を用いながら活動に関連する所定数の活動ステータスのうちの各１つに関する固有のアイコンを前記ディスプレイ上に表示するための命令を含む、請求項１に記載の活動タグ読取器。
【請求項２１】
前記物体を用いながら活動に関連する所定数の活動ステータスのうちの各１つは、前記物体の計画された使用に関係する、請求項２０に記載の活動タグ読取器。
【請求項２２】
固有のアイコンを有する６側面の物体及び前記６側面の各々に関連の機械可読タグを更に含み、６つの前記機械可読タグの１つが前記スキャナの範囲に位置付けられたとき、前記固有のアイコンに関連するユーザ状態を前記６側面の一つにあらわすコンピュータ可読命令を更に含む、請求項１に記載の活動タグ読取器。
【請求項２３】
前記コンピュータ可読命令は、多側面物体の面が前記スキャナの範囲に位置付けられたとき、ユーザコンディションの表示を認識する命令を更に含む、請求項１に記載の活動タグ読取器。
【請求項２４】
前記ユーザコンディションの表示は、ユーザの気分、精神状態、健康又は追跡される特徴の１又は２以上に関係する、請求項２３に記載の活動タグ読取器。
【発明の詳細な説明】
【技術分野】
【０００１】
〔関連出願への相互参照〕
本出願は、引用によってその全体が本明細書に組み込まれている「活動モニタのためのシステム及び方法」という名称の２０１５年２月１８日出願の米国仮特許出願第６２／１１７，８７８号に対する優先権を主張するものである。
【０００２】
〔引用による組み込み〕
この明細書で言及される全ての文献及び特許出願は、各個々の文献又は特許出願が引用によって組み込まれることを具体的かつ個々に示される場合と同じ程度までその全体が引用によって本明細書に組み込まれている。
【０００３】
本発明のシステムの態様は、１又は２以上のユーザ選択かつ機械可読の活動タグの使用を通した１又は２以上の活動の完了をユーザが示すための電子活動モニタシステムを提供する。
【背景技術】
【０００４】
日常生活の速度が速くなると、個人は、多くの場合に１日、１週間、又は１カ月の進行中に完了しなくてはならない活動の数、多様性、及び頻度に圧倒される。手書きメモ、スティッカー、又はカレンダー記入が多くの場合に使用されるが、そのような技術の多くは、スケジュールを維持する自動システムがないので失敗し、そのようなシステムは、望ましい活動の順序付けられた完了への順守に関する有意義なフィードバックをユーザに提供しない。
【０００５】
薬剤の予定された摂取という１つの特定の分野では、患者又は他の薬剤ユーザは、薬剤を摂取することを頻繁に忘れ、その理由は、１）薬剤が急性の問題のためのものであり、患者は定期的に薬剤を摂取することに慣れていない、２）彼らは定期的に薬剤を摂取するが、頻繁に忘れる、３）彼らは多くの薬剤を摂取し、薬剤を異なる時間に摂取しなければならない場合は混乱し易いからである。これに加えて、患者は、彼らが既に薬剤を摂取したことを忘れるので、時には薬剤を摂取し過ぎる場合がある。
【０００６】
一部の電子活動モニタシステムが提案されてきたが、これらのシステムは、一般的に、許可された時間まで活動を阻止するように構成され（妨害的）、又は薬剤の名前、予定された投与の時間、副作用、及びユーザ又は薬剤に関連する他の情報のような関連容器の内容物に関する詳細情報をユーザに提供する特徴を用いて考案される。より単純なインタフェースを提供する従来の追跡システムでさえも、モニタシステム要素内のユーザ固有の特徴のための余裕はない。このようにして、従来のシステムは、機械可読態様（すなわち、十分なメモリを備えて適切な情報を正確に格納するＲＦＩＤタグ）を受け入れるが、ユーザには、適正な容器が位置付けられるまでの試行錯誤を除いてモニタシステムからの支援なしに正しい時間に正しい容器を選別するという問題が残される。
【先行技術文献】
【特許文献】
【０００７】
【特許文献１】米国特許第５，０５３，７７４号明細書
【特許文献２】米国特許第５，５４８，２９１号明細書
【特許文献３】米国特許第５，２３９，４９１号明細書
【特許文献４】米国特許第５，９６３，１３６号明細書
【特許文献５】米国特許出願公開第２００８／００３０３０９号明細書
【特許文献６】米国特許出願第１１／４９６，３２６号明細書
【発明の概要】
【発明が解決しようとする課題】
【０００８】
必要とされるのは、活動に関連付けられた物体の容易な認識を保証する何らかの設定可能性をユーザに許可し、一方、適切な機械検出可能要素がシステムの機械可読態様に設けられた単純かつユーザが使い易い活動モニタシステムである。
【課題を解決するための手段】
【０００９】
一般的に、一実施形態では、活動タグ読取器は、ハウジングと、ハウジングの面上のディスプレイと、スキャナを含有するハウジングの部分に近い機械可読要素位置を検出するように適応かつ構成されたハウジング内のスキャナと、スキャナによる機械可読要素の検出に応答してディスプレイを変えるコンピュータ可読命令を含むスキャナ及びディスプレイと通信するハウジング内のコンピュータとを含む。
【００１０】
この及び他の実施形態は、以下の特徴の１又は２以上を含むことができる。一態様では、活動タグ読取器は、スキャナの位置を示すためのハウジングの面上のアイコンを更に含むことができる。別の態様では、活動タグ読取器は、ハウジングの面上の複数のユーザ対話ボタンを更に含むことができる。更に別の態様では、スキャナは、ディスプレイの一方の側でハウジング内に位置決めすることができ、複数のユーザ対話ボタンは、ディスプレイの反対側でハウジング内に位置決めすることができる。代替態様では、活動タグ読取器は、ディスプレイを含有するハウジングの面の一部分の周りにベゼルを更に含むことができる。別の態様では、活動タグ読取器は、ディスプレイがあるハウジングの周囲部の回りにベゼルを更に含むことができる。ユーザ対話ボタン及びスキャナは、周囲部内とすることができる。代替態様では、ベゼルは、コンピュータからの命令に応答して色を変えるように適応かつ構成することができる。更に別の態様では、コンピュータ可読命令は、スキャナとの一意的機械可読要素の対話に基づいて予め決められた数の状態のうちの各１つに対してディスプレイ上に一意的アイコンを表示するためのコンピュータ可読命令を含むことができる。更に別の態様では、コンピュータ可読命令は、ユーザ活動の４つの予め決められたステータス状態のうちの各１つに対してディスプレイ上に一意的アイコンを表示するためのコンピュータ可読命令を含むことができる。別の態様では、ユーザ活動の４つの予め決められたステータス状態は、完了した予定された活動、未完了の将来の活動、未完了の予定された活動、及び追加の未予定の活動とすることができる。更に別の態様では、ユーザ活動の４つの予め決められたスタータス状態は、１又は２以上の錠剤を摂取するユーザのユーザ活動に関連付けることができる。更に別の態様では、ベゼルは、機械可読要素とスキャナ間の対話の結果としてのコンピュータからの命令に応答して色を変えることができる。更に別の態様では、機械可読要素は、８ビット未満のデータを含有することができる。別の態様では、機械可読要素は、約１ビットのデータを含有することができる。更に別の態様では、機械可読要素は、機械可読要素をユーザ選択式活動タグに関連付けるのに使用されるデータだけを含有することができる。別の態様では、機械可読要素は、機械可読要素をユーザ選択式アイコンに関連付けるのに使用されるデータだけを含有することができる。別の態様では、スキャナが機械可読要素と対話した時に、ベゼルは色を変えることができ、又は活動タグ読取器は音を発する。更に別の態様では、ベゼルは、事前選択式ユーザ活動ステータスを識別するように選択された一意的な色に色を変えることができる。更に別の態様では、活動タグ読取器によって発せられる音は、事前選択式ユーザ活動ステータスを識別するように選択された一意的な音に音を変えることができる。更に別の態様では、事前選択式ユーザ活動ステータスは、健康の表示、活動の完了、又は活動の予定に対する順守の程度のうちの１又は２以上とすることができる。
【００１１】
一般的に、一実施形態では、機械可読患者状態インジケータは、少なくとも３つの側面を有する多側面構造体、多側面構造体の各側面に取り付けられた機械可読要素、及び多側面構造体の各側面に取り付けられたアイコンを含む。各アイコンは、患者状態を一意的に識別する。
【００１２】
この及び他の実施形態は、以下の特徴のうちの１又は２以上を含むことができる。一態様では、多側面構造体は、６つの側面を有することができ、各アイコンは、一意的疼痛スケール表示に対応する。別の態様では、各アイコンは、健康の状態を一意的に識別することができる。更に別の態様では、スキャナがディスプレイの機械可読患者状態インジケータを検出した時に、ベゼル又は活動タグ読取器によって発せられた音は、患者状態を示すスキャナに提示された多側面構造体の特定の側面を一意的に識別することができる。
【００１３】
一般的に、一実施形態では、ユーザの活動を追跡する方法は、スキャナに対して一意的機械可読要素を通過させる段階と、一意的機械可読要素に対応するユーザ活動を識別する段階と、一意的機械可読要素に関連付けられたユーザ活動に関する予定時間に対して比較された識別する段階が実行された時間の比較に基づいてディスプレイに予め決められた数の活動状態のうちの１つのアイコンを表示する段階とを含む。
【００１４】
この及び他の実施形態は、以下の特徴のうちの１又は２以上を含むことができる。一態様では、一意的機械可読要素は、錠剤瓶の蓋に添付されたユーザ選択式活動タグの一部とすることができる。別の態様では、活動状態の予め決められた数は、４とすることができ、表示されるアイコンは、完了した予定された活動、未完了の将来の活動、未完了の予定された活動、及び追加の未予定の活動のうちの１つに対応する。更に別の態様では、各予め決められた活動状態は、光又は音による特定の表示を含むことができる。
【００１５】
一般的に、一実施形態では、ユーザの予定された活動を追跡する方法は、スキャナに対して一意的機械可読要素を通過させてタイムスタンプを記録する段階と、一意的機械可読要素に対応するユーザ活動の予定を識別する段階と、タイムスタンプとのユーザ活動の予定の比較に基づいてディスプレイに４つの予め決められた活動状態インジケータのうちの１つのアイコンを表示する段階とを含む。
【００１６】
この及び他の実施形態は、以下の特徴のうちの１又は２以上を含むことができる。一態様では、一意的機械可読要素を通過させる段階は、スキャナを越して錠剤瓶の蓋を通過させる段階によって完了させることができる。別の態様では、一意的機械可読要素は、ユーザ選択式活動タグの一部とすることができる。更に別の態様では、４つの予め決められた活動状態は、予定された活動が完了したこと、予定された活動が時期を逸したか又は見落とされたこと、未予定の活動が完了したこと、及び残っている未完了の予定された将来の活動とすることができる。代替態様では、本方法は、タイムスタンプとのユーザ活動の予定の比較が、その機械可読要素に関連付けられた活動が完了したと決定する時に、予定された活動が完了したという予め決められた活動状態インジケータのためのアイコンをディスプレイ上に表示する段階を更に含むことができる。別の態様では、本方法は、タイムスタンプとのユーザ活動の予定の比較が、その機械可読要素に関連付けられた活動が検出されないか又は予定時間を超えて検出されたと決定する時に、予定された活動が時期を逸したか又は見落とされたという予め決められた活動状態インジケータのためのアイコンをディスプレイ上に表示する段階を更に含むことができる。更に別の態様では、本方法は、タイムスタンプとのユーザ活動の予定の比較が、タグの走査が認識されたがいずれの予定された活動にも対応しないと決定する時に、未予定の活動が完了したという予め決められた活動状態インジケータのためのアイコンをディスプレイ上に表示する段階を更に含むことができる。更に別の態様では、本方法は、未完了の予定された将来の活動の予め決められた活動状態インジケータのためのアイコンをディスプレイ上に表示する段階を更に含むことができる。
【００１７】
一般的に、一実施形態では、電子活動タグ読取器は、電子ディスプレイ及びスキャナを有するハウジングと、一意的機械可読要素に関連付けられた第１患者固有活動及び第１患者固有活動を実行するためのスケジュールを含有するコンピュータ可読メモリと、電子ディスプレイに電子通信し、かつコンピュータ可読メモリに応答するコンピュータ可読命令と第１患者固有活動の来るべき実行をユーザにリマインドするための、第１患者固有活動の予定された実行の完了を追跡するための、又は第１患者固有活動の非実行をユーザ又は介護者に警告してリマインド、警告、又は追跡に対応する電子ディスプレイ上への提示のための出力を発生させるための一意的機械可読要素の検出を示すスキャナの出力とを含有するスキャナに電子通信するハウジング内の制御電子機器と、制御電子機器への有線又は無線アクセスを提供する通信モジュールとを含む。
【００１８】
この及び他の実施形態は、以下の特徴のうちの１又は２以上を含むことができる。一態様では、リマインド、警告、又は追跡に対応する電子ディスプレイ上への提示のための出力を発生させるためのコンピュータ可読命令及び電子デバイスも、電子活動タグ読取器とは別の電子デバイスに通信モジュールを使用して提供することができる。別の態様では、電子活動タグ読取器とは別の電子デバイスは、ローカルサーバとすることができる。更に別の態様では、電子活動タグ読取器とは別の電子デバイスは、クラウドベースのサーバとすることができる。代替態様では、電子活動タグ読取器とは別の電子デバイスは、スマートフォン、タブレット、又はスマートウォッチとすることができる。更に別の態様では、リマインド、警告、又は追跡に対応する電子ディスプレイ上への提示のための出力を発生させるためのコンピュータ可読命令は、スキャナが第１患者固有活動の予定された実行に従う機械可読要素を検出したか否かに関連する３つの順守状態のうちの１つを決定するための命令を更に含むことができる。更に別の態様では、３つの順守状態は、第１患者固有活動スケジュール活動の予定された実行の完全な順守、第１患者固有活動の予定された実行のほぼ完全な順守、及び第１患者固有活動の予定された実行の非実行とすることができる。別の態様では、コンピュータ可読命令は、活動状態又は順守状態のユーザ又は介護者への電子通知を含むことができる。
【００１９】
一般的に、一実施形態では、ユーザの活動を追跡する方法は、スキャナに対して一意的機械可読要素を通過させる段階と、一意的機械可読要素に対応するユーザ活動を識別する段階と、一意的機械可読要素に関連付けられたユーザ活動に関する予定時間と比較した識別する段階が実行された時間の比較に基づいてディスプレイに４つの予め決められた数の活動状態のうちの１つのアイコンを表示する段階と、選択された予め決められた活動状態に対応する警告を提供する段階とを含む。
【００２０】
この及び他の実施形態は、以下の特徴のうちの１又は２以上を含むことができる。一態様では、一意的機械可読要素は、錠剤瓶の蓋に添付されたユーザ選択式活動タグの一部とすることができる。別の態様では、４つの予め決められた数の活動状態は、完了した予定された活動、未完了の将来の活動、未完了の予定された活動、及び追加の未予定の活動のうちの１つに対応することができる。更に別の態様では、各予め決められた活動状態は、光又は音による特定の表示を含むことができる。代替態様では、本方法は、タイムスタンプとのユーザ活動の予定の比較が、その機械可読要素に関連付けられた活動が完了したと決定する時に、予定された活動が完了したという予め決められた活動状態インジケータのためのアイコンをディスプレイ上に表示する段階を更に含むことができる。更に別の態様では、本方法は、タイムスタンプとのユーザ活動の予定の比較が、その機械可読要素に関連付けられた活動が検出されないか又は予定時間を超えて検出されたと決定する時に、予定された活動が時期を逸したか又は見落とされたという予め決められた活動状態インジケータのためのアイコンをディスプレイ上に表示する段階を更に含むことができる。別の態様では、本方法は、タイムスタンプとのユーザ活動の予定の比較が、タグの走査が認識されたがいずれの予定された活動にも対応しないと決定する時に、未予定の活動が完了したという予め決められた活動状態インジケータのためのアイコンをディスプレイ上に表示する段階を更に含むことができる。更に別の態様では、本方法は、未完了の予定された将来の活動の予め決められた活動状態インジケータのためのアイコンをディスプレイ上に表示する段階を更に含むことができる。代替態様では、警告を提供する段階は、現在の活動状態を報告する電子メッセージを介護者に送ることができる。更に別の態様では、警告を提供する段階は、ユーザ活動の順守レベルを報告する電子メッセージを介護者に送ることができる。更に別の態様では、電子活動タグ読取器と通信する電子ディスプレイは、ユーザ定義の予定された活動に関連付けられたアイコンと４つの予め決められた活動状態のうちの１つを示すか又はユーザ定義の予定された活動に対する３つの順守レベル状態のうちの１つを示す活動インジケータアイコンとを提供することができる。更に別の態様では、電子ディスプレイは、電子タグ読取器のハウジング内の電子ディスプレイとすることができ、又は電子ディスプレイは、電子活動タグ読取器内の通信モジュールを通じて電子活動タグ読取器と通信する電子デバイス上とすることができる。別の態様では、電子活動タグ読取器内の通信モジュールを通じて電子活動タグ読取器と通信する電子デバイスは、スマートフォン、タブレット、又はスマートウォッチとすることができる。代替態様では、方法は、予定された活動、予定された活動の順守の程度、予定された活動に対する特例、又は特定の薬剤消費の表示のうちのいずれかの表示を含む電子通信をインスタントメッセージ、電子メール、アプリケーション通知、ＳＭＳメッセージ、又はテキストメッセージを通じて介護者に送ることによって介護者に警告を提供する段階を更に含むことができる。１つの特定の実施形態では、ユーザは、術後のリハビリを受けており、介護者は、いつユーザ活動が術後リハビリ疼痛緩和に対して与えられた処方鎮痛剤を含む鎮痛剤の摂取を含むかに関連する表示を受信する。別の態様では、方法は、活動タグを走査する時又は事前定義アクションを実行した後で、事前定義の時間間隔で機械可読患者状態インジケータを使用する段階を更に含むことができる。更に別の態様では、事前定義アクションに対する事前定義の時間間隔は、臨床試験における活動追跡システムユーザの参加に関連する可能性がある。
【００２１】
本発明の新しい特徴は、以下の特許請求の範囲に特殊性と共に列挙している。本発明の特徴及び利点のより良い理解は、本発明の原理が利用される例示的実施形態を列挙する以下の詳細説明及び添付図面を参照することによって得られるであろう。
【図面の簡単な説明】
【００２２】
【図１Ａ】ユーザ選択式活動タグ１０の斜視図である。
【図１Ｂ】図１Ａのタグの代表的機械検出可能要素１４を示す図である。
【図１Ｃ】図１のユーザ選択式活動タグベース１２を示す図である。
【図１Ｄ】図１Ａのアイコン（文字Ａと書かれた三角形）を示す図である。
【図１Ｅ】ユーザ選択式活動タグ１０の別の代替実施形態の斜視図である。
【図１Ｆ】周囲の回りの接着性リム２２を有するベース１２の下から見た図である。
【図１Ｇ】底面に沿って感圧接着剤２４に露出させるための剥ぎ取り部を有するほぼ円筒形の活動タグ１０の側面図である。
【図１Ｈ】ベース１２から延びて活動タグ１０を固定するのに使用されるストリップ又はバンド２６を含む活動タグ１０の上面図である。
【図１Ｉ】三角形周囲内に空想的形状及び数字３を有するアイコンの実施形態の図である。
【図２Ａ】タグスキャナ３６とディスプレイ３４とを含む本体３２を有する例示的活動タグ読取器３０の斜視図である。
【図２Ｂ】タグスキャナ３６を含有する本体３０に対するディスプレイ３４の移動を可能にするスイベルにディスプレイ３４が装着された代替活動タグスキャナ３０構成の斜視図である。
【図２Ｃ１】接合部３１に固定されるか又はそこで旋回するディスプレイ３４のためのアームマウント３９を本体３０が含む活動タグ読取器３０の代替構成の斜視図である。
【図２Ｃ２】接合部３１に固定されるか又はそこで旋回するディスプレイ３４のためのアームマウント３９を本体３０が含む活動タグ読取器３０の代替構成の側面図である。
【図２Ｄ】本体３２がスマートフォンであるか又は本明細書に説明する活動追跡システムと併用するための手持ち式デバイスの形状因子を有する活動タグ読取器３０の斜視図である。
【図３Ａ】活動タグ１０が鉢に取り付けられた鉢内のサボテン植物を示す図である。
【図３Ｂ】活動タグ１０が取り付けられたペットボウルを示す図である。
【図３Ｃ】活動タグ１０が取り付けられたラグマットを示す図である。
【図３Ｄ】円形ベースの一部として文字Ｓ及び数字８のアイコンを備えた活動タグ１０を有する秤を示す図である。
【図４】活動タグ読取器３０とユーザ定義式活動タグ１０の間の対話のための例示的方法４０を示す図である。
【図５】例示的ローカル同期処理方法５０を示す図である。
【図６】活動に対するリマインダーを発生させるのに使用される活動モニタシステムの例示的方法を示す図である（リマインダー流れ図７０）。
【図７】活動モニタシステムによって発生される特例警報の例示的方法１００を示す図である。
【図８】活動モニタシステムの予想される（予定された）及び実際の使用に基づいてダッシュボードステータスを更新するための例示的方法１２４を示す図である。
【図９Ａ】来るべき予定されたイベントの表示として使用する例示的ステータスアイコンを示す図である。
【図９Ｂ】時期を逸したか又は見落とされた予定されたイベントの表示として使用する例示的ステータスアイコンを示す図である。
【図９Ｃ】完了したイベントの表示として使用する例示的ステータスアイコンを示す図である。
【図９Ｄ】未予定のイベントの完了の表示として使用する例示的ステータスアイコンを示す図である。
【図９Ｅ】スケジュールの完全な順守のような順守インジケータとして使用する例示的ステータスアイコンを示す図である。
【図９Ｆ】スケジュールの殆ど完全な順守の順守インジケータとして使用する例示的ステータスアイコンを示す図である。
【図９Ｇ】スケジュールの順守不良又は非順守の順守インジケータとして使用する例示的ステータスアイコンを示す図である。
【図１０】ユーザ活動の予定を自動的に予定又は予想するための例示的方法１５０を示す図である。
【図１１】ユーザ選択式活動タグを有する毎週、午前／午後、又は毎日２度の錠剤ボックス１８０の斜視図である。
【図１２Ａ】ユーザ選択式活動タグを含む毎週、毎日１度の錠剤ボックス１８５を示す上面図である。
【図１２Ｂ】ユーザ選択式活動タグを含む毎週、毎日１度の錠剤ボックス１８５を示す底面図である。
【図１３Ａ】ユーザ選択式活動タグを有する毎週、毎日１度の錠剤ストリップ１９０を示す上面図である。
【図１３Ｂ】ユーザ選択式活動タグを有する毎週、毎日１度の錠剤ストリップ１９０を示す底面図である。
【図１４】図のように瓶キャップに添付されたユーザ選択式活動タグ１０を有する錠剤瓶２００の斜視図である。
【図１５】図のように瓶キャップに添付されたユーザ選択式活動タグ１０を有する錠剤瓶２００の斜視図である。
【図１６Ａ】パックの縁部に添付されたユーザ選択式活動タグを含む１５回分ブリスタパック２１０を示す側面図である。
【図１６Ｂ】パックの縁部に添付されたユーザ選択式活動タグを含む１５回分ブリスタパック２１０を示す上面図である。
【図１７Ａ】瓶の蓋及び本体上に１対の類似に機械符号化されたユーザ選択式活動タグを各々が有する３つの薬剤瓶２００の前面図である。
【図１７Ｂ１】間違った蓋（瓶Ｃの蓋Ａ）を有する図１７Ａの瓶を示す図である。
【図１７Ｂ２】例示的関連のディスプレイ警告を示す図である。
【図１７Ｃ１】正しい蓋及び瓶配置（瓶Ａを有する蓋Ａ）を備えた図１７Ａの瓶を示す図である。
【図１７Ｃ２】例示的関連のディスプレイを示す図である。
【図１８Ａ】活動に対する４つの可能な状態のうちの１つを示すのに使用されるアイコンの使用を示す図である。
【図１８Ｂ】活動に対する４つの可能な状態のうちの１つを示すのに使用されるアイコンの使用を示す図である。
【図１８Ｃ】活動に対する４つの可能な状態のうちの１つを示すのに使用されるアイコンの使用を示す図である。
【図１８Ｄ】活動に対する４つの可能な状態のうちの１つを示すのに使用されるアイコンの使用を示す図である。
【図１９】アイコン１、９、１２、及び１５によって示される４つの追跡された活動に対する現在のステータスを示すディスプレイ３４に現れるような活動タグ読取器３０による例示的ユーザダッシュボード又はディスプレイ又は表示を示す図である。
【図２０】モニタシステムの数人のユーザの順守表示を示すディスプレイの図である。
【図２１】４人の異なる患者に対する順守の多重患者多重日又は多重モニタ期間図を示すディスプレイ３４のスクリーンショットである。
【図２２】個人の薬剤管理を追跡又は予定する際の使用に適応された活動モニタシステムを確立する方法３００の図である。
【図２３】無地（Ａ、Ｂ、及びＣ）であるか、ラベル上のテキスト（Ｄ）を含むか、又はバーコード（Ｒ×Ａ及びＲ×Ｂ）又はＲＦＩＤ要素（Ｒ×Ｃ）のような既存の機械可読要素を含む様々な錠剤瓶を示す図である。
【図２４】複数のユーザが共通ソースから取られる一回分を示すのに使用される個々のタグの使用を含む単一活動モニタシステムを使用している時の例示的設定を示す図表である。
【図２５Ａ】例示的疼痛スケール上の６つの異なるレベルの各々を表すアイコンを示す図である。
【図２５Ｂ】例示的疼痛スケール上の６つの異なるレベルの各々を表すアイコンを示す図である。
【図２５Ｃ】例示的疼痛スケール上の６つの異なるレベルの各々を表すアイコンを示す図である。
【図２５Ｄ】例示的疼痛スケール上の６つの異なるレベルの各々を表すアイコンを示す図である。
【図２５Ｅ】例示的疼痛スケール上の６つの異なるレベルの各々を表すアイコンを示す図である。
【図２５Ｆ】例示的疼痛スケール上の６つの異なるレベルの各々を表すアイコンを示す図である。
【図２６Ａ】単独で又は機械可読患者状態インジケータ４９０のためのユーザ選択式活動タグとして構成された異なるアイコンの等角投影図を示す図である。
【図２６Ｂ】単独で又は機械可読患者状態インジケータ４９０のためのユーザ選択式活動タグとして構成された異なるアイコンの等角投影図を示す図である。
【図２６Ｃ】単独で又は機械可読患者状態インジケータ４９０のためのユーザ選択式活動タグとして構成された異なるアイコンの等角投影図を示す図である。
【図２７】活動タグ読取器３０、７つの機械可読容器４０５を含有するトレイ４３０、及び機械可読患者健康インジケータ４９０を有する追跡システム４００の斜視図である。
【図２８】機械可読容器４０５の斜視図である。
【図２９】図２８の機械可読容器４０５の下から見た図である。
【図３０】蓋４０５、本体１２、及びベース４２０の相対的な位置を示す図２８の機械可読容器４０５の分解図である。
【図３１】蓋４０６が開いた位置にある機械可読容器４０５の斜視図である。
【図３２】容器４０５を保持するようなサイズの複数のソケット４０２を有するトレイ４３０の斜視図である。
【図３３】機械可読容器４０５と併用するように構成されたトレイ４３０を示す図である。
【図３４】１つの機械可読容器（すなわち、アイコンＷｅ１を備えた）をそのソケット４０２から取り除いた７つの機械可読容器４０５で充填されたトレイ４３０の斜視図である。
【図３５】トレイ内に複数の機械可読容器を固定するためのストラップの使用を示す図である。
【図３６】トレイ内に複数の機械可読容器を固定するためのストラップの使用を示す図である。
【発明を実施するための形態】
【００２３】
本発明の様々な実施形態の製造及び使用を以下に詳しく説明するが、本明細書における本発明の概念の様々な実施形態を様々な特定の関連に実施することができることを認めなければならない。本明細書に説明する特定の実施形態は、単に本発明の例示的態様を製造かつ使用するための特定の方法を例示するにすぎず、本発明の範囲を定めるものではない。
【００２４】
一般的に、活動タグ読取器３０又は他の適切に構成されたディスプレイ含有携帯式電子デバイスは、例えば、携帯式医療モニタデバイス、携帯電話、スマートフォン、携帯情報端末（ＰＤＡ）、又は近距離通信機能又はユーザによる活動モニタのように設計された機械可読要素に適する他の機能を有するユーザによって共通して持ち運ばれる他の携帯式電子デバイスである。
【００２５】
活動モニタシステムの一態様では、受動一意的通信タグ（例えば、ＲＦＩＤ又はＮＦＣ）がユーザ選択式アイコン１６に結合される。ユーザ選択式又は事前定義式アイコン１６は、例えば、絵文字、通常の幾何学的図形、架空の図形、色、モノグラムにあるようなユーザのイニシャル、写真、絵文字、顔文字のうちの１又は２以上、又は１又は２以上の触覚要素又は１又は２以上の点字文字である場合がある。活動タグ１０は、活動に関連付けられた適切な物体に取り付けられる。ユーザが予定された活動を完了する度に、関連付けられたユーザ活動タグが読取器の範囲に通される。この範囲は、多くのＲＦＩＤタグに対する数ｃｍの短い範囲から多くのＮＦＣタグの読取器に接触して使用されるタグシステムのタイプに応答して変わる。読取器は、読取器によってタグが読み取られた時間に対応する読取時間及び日付を記録する。読取器は、ローカルでタグ読取記録を維持するか又はタグ読取記録をリモートシステム（すなわち、クラウドベースデータベース、ローカルネットワーク又は類似の適切にネットワーク化されたストレージシステム）に提供することができる。データベースのユーザ活動記録は、ユーザ識別情報、及び例えばタグＩＤ、日付、及び時間のようなタグ読取データを含む。
【００２６】
本発明の活動モニタシステムの一実施形態では、本発明のシステムは、ＲＦトランスポンダー、ＮＦＣタグ、又は機械可読要素に関連付けられた１又は２以上の予定された活動をユーザが行ったか否かに関連する表示としての他の要素のような機械可読要素を読み取ることができるディスプレイ含有携帯式電子デバイスを含む活動又は活動に関する情報を提供するように構成することができる。一部の実施形態では、活動モニタシステムはまた、活動を実行することをユーザにリマインドするための聴覚信号、視覚信号、又は物理的信号（すなわち、振動）のうちの少なくとも１つを発生させることができる。更に、１又は２以上の携帯式電子デバイスは、クラウド又は適切なＡＰＩなどを通じて大規模モニタ及び管理を提供するためのコンピュータ又はサーバに通信可能に結合することができる。例えば、活動モニタシステムを使用して、グループホーム又は家庭環境などにおける単一ユーザ又は幾人かのユーザの活動をモニタすることができる。いくつかのトランスポンダー配置が開発されている。１つのそのようなトランスポンダー配置は、引用によって本明細書に組み込まれている１９９１年１０月１日にＳｃｈｕｅｒｍａｎｎ他に付与された米国特許第５，０５３，７７４号明細書に説明されている。’７７４号特許は、低エネルギ要件を有し、一意的電源を必要としないトランスポンダーユニットを説明している。別のトランスポンダー配置は、引用によって本明細書に組み込まれている１９９６年８月２０日に付与された米国特許第５，５４８，２９１号明細書にＭｅｉｅｒ他によって開示されている。’２９１号特許では、その製造に続いて無接触方式で更新することができる別のトランスポンダー配置を説明している。追跡システムの活動及び通信に対する追加の他の詳細は、米国特許第５，２３９，４９１号明細書、米国特許第５，９６３，１３６号明細書、及び米国特許出願公開第２００８／００３０３０９号明細書（２００６年7月３１日出願の米国特許出願第１１／４９６，３２６号明細書）に提供されており、上述の各々は、全ての目的に対して引用によって本明細書に組み込まれている。
【００２７】
以下の説明の関連では、以下の定義を使用する。
・活動：活動は、ユーザ選択式活動タグに関連付けけられるユーザ活動である。
・ユーザ選択式活動タグ：ユーザ選択式活動タグは、アイコン、ベース、及び機械検出可能要素を含む。
・アイコン：アイコンは、活動タグに一意的に関連付けられたユーザ定義式又は事前定義式又は選択可能及び識別可能なマーカである。アイコンは、ユーザ及び望ましいタグ付き物体又は活動の識別を助けるのに使用される。アイコンの例は、形状、色、数、文字、既存の又は指定された記号、動物、人又は場所の写真、漫画のキャラクター、絵文字、顔文字、又は１又は２以上の触覚要素又は１又は２以上の点字文字のうちの１又は２以上又はその組合せを含む。
・ベース：ベースは、（ｉ）機械可読要素に関連付けられたアイコン間の相対的な位置を維持し、かつ（ｉｉ）関連付けられた活動のユーザの実行に適切な位置に活動タグを固定することを可能にするための形状因子を提供する基板である。ベースは、活動タグを支持するのに使用されるカスタムメイドの物体又は既存の物体の一部分、又は特定の物体又は活動追跡状況に適するアイコン及び機械検出可能要素の組合せとすることができる。
・機械検出可能要素：機械検出可能要素は、電子検出、走査、又は読取を可能にする形態で提供されるあらゆる物体又は構造である。機械検出可能要素の例は、ＲＦＩＤタグ、近距離通信タグ（ＮＦＣタグ）、バーコード、ＱＲコード（登録商標）のような光学テキスト認識記号を含む。機械検出可能要素は、接触（すなわち、設置又はタップ）又は非接触モード（すなわち、認識される領域内を又は光学読取器のような読取器に対して動く）で機械読取器と対話することができる。一態様では、機械検出可能要素は、機械検出可能要素のメモリにあるいずれのユーザ固有又は物品固有又は活動固有の情報もない製造業者又は既存の識別コードだけを含有する。例示的１ビット活動追跡システムは、電子盗難防止機器（ＥＡＳ）の活動追跡システムになる。機械検出可能要素がスキャナの検出ゾーンにある時に、１（関連付けられた活動が完了したことを示す）を示し、要素がゾーンにない時は、０を示す。反対の設定を使用することもできる。
・イベント：イベントは、活動タグ内の機械可読要素によるあらゆる機械又はコンピュータベースの検出、走査、又は対話である。
・予定されたイベント：予定されたイベントは、活動タグの予想される検出又は活動タグとの対話である。活動タグ検出又は対話の数及びタイミングは、関連付けられた活動を実行するためのユーザの望ましい頻度に対応する。
・未予定のイベント：未予定のイベントは、タイミング又は頻度によっていずれの予定されたイベントにも対応しないイベント、すなわち、活動タグ内の機械可読要素の予想されない検出又は機械可読要素との予想されていなかった対話である。
【００２８】
図１Ａは、ユーザ選択式活動タグ１０の斜視図である。ユーザ選択式活動タグ１０は、ベース１２、アイコン１６、及び機械検出可能要素１４を有する。これらの例示的要素の各々は、図１Ｂ、１Ｃ、及び１Ｄに個々に示されている。
【００２９】
図１Ｂは、図１Ａのタグの代表的機械検出可能要素１４を示している。機械検出可能要素１４は、あらゆるＲＦＩＤ、近距離通信（ＮＦＣ）、非接触通信又は光学機械又はコンピュータ可読手段によって使用及び検出することができるあらゆる要素とすることができる。一実施形態では、タグ１０は、無線自動識別技術を含み、機械検出可能要素１４は、受動デバイス、半受動デバイス、能動デバイス、読取専用デバイス、読取／書込可能デバイス、光学可読デバイス、無線周波数識別（ＲＦＩＤ）デバイス、及び微小電気機械システム（ＭＥＭＳ）デバイスのうちの１又は２以上である。追加の態様では、機械可読要素１４は、少なくとも１つのセンサを含むＭＥＭＳ対応デバイスを提供することができ、又はＭＥＭＳ対応デバイスを含むように活動タグ１０を構成することができる。１つの特定の実施形態では、機械検出可能要素１４は、１ビットＲＦＩＤ要素であり、活動追跡システムは、関連付けられた要素が検出された時に完了したとして関連付けられた活動を記録／報告するように構成される。
【００３０】
図１Ａの例示的実施形態では、図１Ｃは、円筒体である図１Ａのユーザ選択式活動タグベース１２の図である。ベース１２は、ユーザ選択式活動タグ１０の形状因子を提供するのに使用される材料又は基板である。ベース１２は、機械可読要素１４及びアイコン１６を同じ場所に位置決めするか又は結合するのに使用される。ベース１２はまた、活動タグ１０を取り付けるか又は結合するのに使用される１又は２以上の面、及びユーザが活動タグを活動に関連付けられるようにする適切な位置を含むことができる。アイコン１６はユーザによって識別することができるように選択される。アイコン１６は、ユーザの好み又は能力に応じて様々な適切な方法のいずれかでユーザによって識別可能又は認知可能にすることができる。アイコンは、視覚、音、又はタッチによって個々に又はあらゆる組合せでユーザに識別可能にすることができる。視覚的に識別可能なアイコンは以下の実施形態の多くで提供されるが、本発明の様々な実施形態がこれに制限されることはない。一例として、アイコン１６は、図形、色、数字、文字、アイコン、記号、写真、動物、漫画、又は特定のユーザ選択式活動タグ１０を識別するためにユーザによって選択された絵文字又は顔文字のような他の識別可能媒体の組合せのいずれかとすることができる。図１Ａのアイコン１６は、文字Ａを含有する三角形である。図１Ｄは、図１Ａのアイコンの図である（文字Ａを備えた三角形）。任意的に、アイコンは、空想の図形又はユーザ指定のデザインを含むことができる。図１Ｉは、三角形周囲内に空想の図形及び数字３を有するアイコンの実施形態の図である。図１Ｅは、ユーザ選択式活動タグ１０の別の代替実施形態の斜視図である。この実施形態では、ベース１２は、一般的に矩形の形状を有する平面であり、アイコン１６は、円の内側の文字「Ａ」と数字「１」である。
【００３１】
図１Ｆ、１Ｇ、及び１Ｈは、タグ１０を活動に関連付けるために適切な位置にユーザ選択式活動タグ１０を位置決めする場合にユーザを助けるためのベース１２の様々な代替構成を示している。図１Ｆは、周囲の回りに接着性リム２２を有するベース１２の下から見た図を示している。図１Ｇは、底面に沿って感圧接着剤２４を露出させるための剥ぎ取り部を有するほぼ円筒形の活動タグ１０の側面図である。図１Ｈは、ベース１２から延びて活動タグ１０を固定するのに使用されるストリップ又はバンド２６を含む活動タグ１０の上面図である。例えば、接着剤、エポキシ樹脂、セメント、マジックテープ（登録商標）、ファスナ、又は磁石のような様々な固定手段のいずれも活動タグ１０を固定するのに使用することができることは認められるものとする。適切なマウント又は面への取り付けのモードを含む活動タグ１０の設計及び外観は、追跡される活動、及び活動タグ１０を受け入れる物体の審美性、設計、環境、又は機能のような材料考慮に応答して変わる。
【００３２】
図２Ａ−２Ｄは、活動タグ読取器３０の様々な実施形態を示している。図２Ａは、タグスキャナ３６及びディスプレイ３４を含む本体３２を有する例示的活動タグ読取器３０の斜視図である。この実施形態では、活動タグ１０がタグスキャナ３６の上を通過した時にディスプレイ３４が見えるようにディスプレイ３４がスキャナ３６に対して固定された方向にある。図２Ｂは、ディスプレイ３４がタグスキャナ３６を含有する本体３０に対してディスプレイ３４の移動を可能にするスイベルに据えられる代替活動タグスキャナ３０の構成の斜視図である。様々な構成では、活動タグ読取器３０は、本発明のシステムの特定の構成に使用される機械可読要素を読み取るのに使用される通信のタイプを支援するためにタグスキャナ３６の様々なサイズを有することができる。更に、活動タグ読取器３０は、タグスキャナ３６の位置の様々なマーキング又は表示を含むことができ、スキャナが機能する範囲にユーザが機械可読要素を置くことを容易にする。一例として、タグスキャナ３６に近い活動タグ読取器３０の一部分は、ここをタップする又はここに置く又はここに通すようなマーキングを含むか又は矢印又は他のインジケータを使用して、ユーザがタグスキャナ３６に対して活動タグ読取器１０を適切に位置決めすることを助けることができる。
【００３３】
図２Ｃ１及び２Ｃ２は、活動タグ読取器３０の代替構成の斜視図及び側面図であり、本体３０は、接合部３１に固定されるか又は接合部３１で旋回するディスプレイ３４のためのアームマウント３９を含む。このアームマウントは、タグスキャナ３６に取り付けられ、タグスキャナ３６の上を延びている。この実施形態には、活動タグ読取器に提供される追加の機械可読又はコンピュータ可読デバイス３８及びタグスキャナ３６によって提供される機械可読機能も示されている。一態様では、機械読取器３８は、図に示すようにディスプレイ３４に組み込まれるバーコード又は他の光学スキャナとすることができる。
【００３４】
図２Ｄは、本体３２がスマートフォンであるか又は本明細書に説明する活動追跡システムと併用するための手持ち式デバイスの形状因子を有する活動タグ読取器３０の斜視図である。この実施形態では、ディスプレイ３４はデバイス又はスマートフォンの画面である。検出器を含むスマートフォン又はデバイス、デバイス元来の光学テキスト認識又は近距離通信機能を使用して、機械可読要素１４に必要である場合にタグスキャナ３６の機能を提供する。この実施形態では、スマートフォンデバイスの近距離通信機能又は他の読取器機能（すなわち、ＯＣＲデバイスとして活動するスマートフォンカメラ）が使用され、活動タグを検出して本明細書に説明する機能を備えたアプリケーション又は他の適切なソフトウエアを使用して望ましい活動追跡リマインド及びレポート機能を実行する。
【００３５】
以下に詳しく説明するように、ディスプレイ３４の１つの機能は、活動追跡システムダッシュボードの提示である。このダッシュボードは、活動追跡システムに従って１日のスナップショットを提供する。全ての予定された活動は、時間及びユーザ選択式アイコン１６と共にその日のダッシュボードに表示される。ダッシュボード及び他のリモートモニタデバイス（すなわち、ウェブサイト又はクラウド／ＡＰＩを通じてアクセスする当該の個人のための表示されたダッシュボード）は、ユーザ活動が実行された場合（すなわち、活動タグとの読取器３０の検出／対話）でリアルタイムに更新される。完了したが未予定の活動もダッシュボードに表示される。未予定の活動は、予定されていた活動のリストの下に表示される（図９Ａ−９Ｄを参照）。一態様では、ダッシュボードは、毎日クリアされ、再生され、次の日の活動を提示する。他の態様では、ディスプレイ及び活動モニタシステムは、以前かつ将来の日のダッシュボードのディスプレイ閲覧を可能にするように構成される。更に他の態様では、ダッシュボードは、ユーザの活動スケジュールの順守がモニタされていることを示す特徴を含む。一実施形態では、以下に詳しく説明するように、ダッシュボードは、３つの状態、すなわち、完全な順守、ほぼ完全な順守、又は順守不良又は非順守のうちの１つとしての順守の表示を含む。一実施形態では、３つの順守状態は、笑顔、幸せでない顔、及び悲しい顔の表示に示す（図９Ｅ、Ｆ、及びＧを参照されたい）。他の実施形態では、他のアイコン、記号、又は絵文字は、順守状態を示すために特定のユーザによって選択されて使用される。
【００３６】
図３Ａ−３Ｄは、追跡される活動の異なる種類に対する項目、活動、及びユーザ選択式活動タグの様々な組合せを示している。図３Ａは、鉢に取り付けられた活動タグ１０を有する鉢のサボテン植物を示している。活動スケジューリングシステム内で、活動「植物に水をやる」は、１週間に３回発生するように予定されたアイコンＰ１に関連付けられる。この実施形態では、活動タグ１０は、三角形のベース内に文字Ｐ及び数字１を備えたアイコンを有する。図３Ｂは、活動タグ１０が取り付けられたペットボウルを示している。この実施形態では、活動タグ１０は、矩形のベースに文字Ｄ及び数字１を備えたアイコンを有する。活動スケジューリングシステム内で、活動「犬に餌をあげる」は、アイコンＤ１に関連付けられ、毎日発生するように予定される。図３Ｃは、活動タグ１０が取り付けられたラグマットを示している。この実施形態では、活動タグ１０は、矩形のベースに文字Ｒ及び数字５を備えたアイコンを有する。活動スケジューリングシステム内で、活動「ラグマットをたたく」は、アイコンＲ５に関連付けられ、１年に２度発生するように予定される。図３Ｄは、円形のベースの一部として文字Ｓ及び数字８のアイコンを備えた活動タグ１０を有する秤を示している。活動スケジューリングシステム内で、活動「体重を測定する」は、アイコンＳ８に関連付けられ、毎日発生するように予定される。
【００３７】
本明細書に説明する活動モニタシステムの一態様では、ＲＦＩＤ／ＮＦＣスティッカー（すなわち、機械可読要素及びベース）は、追跡、予定、又はリマインドされる活動に対するリマインダーとしてユーザによって選択された各物体又は位置に適切に取り付けられる。ユーザが意図された活動を実行する度に、ユーザは、スティッカー又は活動タグを適切に構成された活動タグ読取器３０の範囲に持ち込む。活動タグの登録、検出、又は活動タグと読取器の対話は、ユーザがそのスティッカー／活動タグに関連付けられた活動を完了した場合に活動モニタシステムによって入力される。活動タグ読取器３０（例えば、ＲＦＩＤ読取器）は、Ｗｉ−Ｆｉ又はセルラーを通じて直接活動モニタシステムクラウド／ＡＰＩに又はＢｌｕｅｔｏｏｔｈ（登録商標）を通じて間接的にスマートフォンにデータポイント（タグ＋検出又は対話の日付／時間）を中継するように適切に構成することができる。一実施形態では、活動タグ読取器は、適切な読取／検出機能と共に適切なセルラー技術などと無線通信するように構成され、選択された機械可読要素と協働する。そのような構成の１つの利点は、活動タグ読取器３０が完全に独立したシステムにおいて活動タグ及び活動モニタシステムと通信することである。この関連では、独立型は、システムがいずれの他のコンピュータデバイス（ＰＣ方はスマートフォンのいずれか）の存在も要求しないことを示している。上述のように、活動モニタシステムは、本明細書に説明する介護者／関連の当事者の介入を許可／促進する。更に他の態様では、リモートモニタ及びリモートシステム設定の両方のための活動モニタシステムを構成することができる。リモート設定では、ある予定された薬剤投与を摂取するなどの全てのモニタされる活動に対するユーザの活動スケジュールがユーザの活動タグモニタデバイスに送られ、使用のためにロードされる。パスコード又は他の適切な認証手順を提供して、スケジュール及びユーザ識別及び関連付け（すなわち、正しいスケジュール／正しいユーザ）を確認することができる。
【００３８】
図４は、活動タグ読取器３０とユーザ定義式活動タグ１０の間の対話のための例示的方法４０を示している。最初に段階４２で、活動タグ１０は、読取器構成に応じた活動タグ読取器３０のタグスキャナ３６又は他の構成要素によって検出される。タグ１０内の機械可読要素１４がタグスキャナ／読取器３６によって検出又はこれらと対話した時に、活動タグ１０は、タグスキャナ３６によって検出される。活動タグ読取器３０の内部クロックは、検出に関連付けられた日付及び時間情報を取得するのに使用される。
【００３９】
次に、段階４４で、活動タグデータが処理される。この段階では、段階４２で検出された機械検出可能要素に関連付けられた一意的に識別される製造番号又はコードが段階４２からの日付及び時間データに関連付けられるか又はこれらと共に格納される。
【００４０】
次に、段階４６で、ディスプレイ３４は、検出された活動タグに関連付けられたユーザ定義式活動タグデータによってローカルに更新される。これは、検出された活動タグのアイコン又は他の印の表現と共に活動の完了の単純な表示の使用を含むことができる。単純な活動インジケータの様々な形態が可能であり、いくつかを図９Ａ−９Ｄに関して以下に詳しく説明する。
【００４１】
最後に段階４８で、活動タグ検出データは、後の処理（図５を参照）のためにリモートネットワーク／クラウド／ＡＰＩへのローカル同期待ち行列に追加される。
【００４２】
図５は、例示的ローカル同期処理方法５０を示している。最初に段階５２で、ローカル同期待ち行列処理を開始する。次に、段階５４で、ローカル同期待ち行列に活動タグデータがあるか否かを決定する。これは、方法４０（図４）を使用してローカルで収集された情報である。活動タグデータが存在する場合に、段階５６に進み、活動タグデータのクラウド／ＡＰＩへのアップロードを試みる。
【００４３】
アップロードが段階５８で成功したか否かを決定する。アップロードが成功しなかった場合に、活動データをローカル同期待ち行列に入れたままにして最後のアップロード時間の試みにマーク付けする（段階６０）。アップロードが成功した場合に、ローカル同期待ち行列から活動タグデータを取り除く（段階６２）。
【００４４】
ローカル同期待ち行列の全ての活動タグデータが処理された状態で（段階５４の結果がＮＯである）、次の段階は、ローカルダッシュボード要約をクラウド／ＡＰＩからのダッシュボード要約の最新の更新によって更新する（段階６４）。最後に段階６６で、ローカルディスプレイ（すなわち、ディスプレイ３４）を最新のダッシュボード要約で更新する。
【００４５】
図６は、活動に対するリマインダーを発生させるのに使用される活動モニタシステムの例示的方法である（リマインダー流れ図７０）。リマインダー流れ図７０は、最初にリマインダールーチンを開始し（段階７２）、いずれかの活動タグが活動モニタシステムにあるか否かを決定する（段階７４）。次に、段階７６で、活動タグに予定されたイベントがあるか否かを決定する。イベントがない場合に、段階７４に戻り、追加のタグがあるかを検査する。予定されたイベントがある（段階７６の回答がＹＥＳである）場合に、段階７８に進む。
【００４６】
段階７８は、現在の時間が予定されたイベントに対して計算されたリマインダー時間よりも長いか否かを決定する。現在の時間が計算されたリマインダー時間よりも長くない（段階７８がＮＯである）場合に、予定されたイベントにリマインダーは必要ない（段階８０）。次に、段階７４に戻り、検査する活動タグがあるか否かを決定する。
【００４７】
現在の時間がイベントに対する計算されたリマインダー時間よりも長い（段階７８がＹＥＳである）場合に、リマインダーが必要になる（段階８２）。本発明のシステムは、送られるリマインダーのタイプに従って連絡先及び受信者にアクセスする。受信者、コンテンツ、頻度、及びモードのようなリマインダー特徴は、特定のユーザ、活動、イベント、又は活動タグの検出の頻度に合わせて作ることができる。リマインダーは、スマートフォン通知（段階８５）、電話呼出し／ボイスメール／コールセンター（段階８６）、電子メール（ｅ−ｍａｉｌ）（段階８７）、又はＳＭＳ／テキスト又は他のメッセージングモード（段階８８）のような通信のうちの１又は２以上のモードを使用して各受信者に送られる（段階８４）。
【００４８】
図６のリマインダーフロー方法７０の１つの変形では、段階７８の結果がＹＥＳである場合でも、リマインダーが必要であり、ユーザはある状況の下で予定された活動を遅らせることができる。アラームクロックのスヌーズボタンのように、リマインダー警報信号（段階８２）を中止又は遅らせ、代わりにスヌーズ又はリマインダー期間が経過した後に段階８２の活動を予定するような「後で私にリマインドして」入力によってリマインダー方法７０を修正することができる。スヌーズ又はリマインダー期間は事前設定間隔とすることができ、又はユーザが特定の時間を入力することができる。一実施形態では、機械可読要素１４は、接触なしの方式で（例えば、近距離通信のあらゆる適切な形式を使用して）活動タグ読取器３０によって問い合わせられる。１つの特定の実施形態では、機械検出可能要素１４は、バッテリ給電式ではないか、又はタグスキャナ３６又は活動タグ読取器３０の検出範囲に位置付けられるまで給電されないか又はパッシブである。更に別の態様では、機械検出可能要素１４は、製造番号又は型番号又は製造日付のような製造業者によって提供される最小の情報だけを含む。一態様では、活動モニタシステムによって使用される要素１４からの情報は、要素１４に割り当てられた一意的アドレス又は識別番号のみである。換言すると、要素１４が読み取られた時に、本発明のシステムは、この要素１４の一意的数字識別コードを登録するだけでよい。従って、要素１４は、ユーザ選択式活動タグ１０の一部として一意的ユーザ選択式アイコンに関連付けられた一意的機械ＩＤを提供する。
【００４９】
図７は、活動モニタシステムによって発生される特例警報のための例示的方法１００である。まず特例警報ルーチンを開始する（段階１０２）。次に、段階１０４は、システムに活動タグ１０があるか否かを決定する。次に、段階１０６で、活動タグに対して予定されたイベントがあるか否かを決定する。イベントがない場合に、段階１０４に戻り、追加のタグを検査する。予定されたイベントがある（段階１０６の回答がＹＥＳである）場合に、段階１０８に進む。段階１０８は、予定されたイベントに活動タグが検出されたか否かを決定するのに使用される。適切な活動タグが予定されたイベントに検出された（段階１０８がＹＥＳである）場合に、段階１１０に進む。タグが検出され、従って、予定されたイベントに対して特例が発生しないので活動は必要ない。段階１０４に戻って、追加の活動タグ又は特例を識別する。
【００５０】
適切な活動タグが予定されたイベントに検出されない（段階１０８がＮＯである）場合に、段階１１２に進む。段階１１２は、現在の時間がユーザ、活動タグ、又は予定されたイベントに対する計算された特例時間よりも長いか否かを決定する。現在の時間が計算された特例時間よりも長くない（段階１１２がＮＯである）場合に、予定されたイベントに対する特例は発生しない（段階１１０）。次に、段階１０４に戻り、検査する活動タグがあるか否かを決定する。
【００５１】
薬剤への参照が錠剤に制限されないことは認められるものとする。例えば、インスリンバイアル、目薬のような錠剤形態ではない様々な薬剤も、消費される特定の項目に必要とされる時に添付された活動タグを使用して追跡することができる。
【００５２】
現在の時間がイベントに対して計算された特例時間よりも長い（段階１１２がＹＥＳである）場合に、特例リマインダーが必要になる（段階１１４）。本発明のシステムは、送られる特例リマインダーのタイプに従って連絡先及び受信者にアクセスする。特例、受信者、コンテンツ、頻度、及びモードのタイプのようなリマインダー特徴は、特定のユーザ、活動、イベント又は活動タグの検出の頻度に合わせて作ることができる。特例リマインダーは、スマートフォン通知（段階８５）、電話呼出し／ボイスメール／コールセンター（段階８６）、電子メール（電子メール）（段階８７）、又はＳＭＳ／テキスト又は他のメッセージングモード（段階８８）のような通信のうちの１又は２以上のモードを使用して各受信者に送られる（段階１１６）。
【００５３】
本明細書に使用するダッシュボードは、活動追跡システムのうちの１又は２以上のユーザのステータス、順守、スケジュール、又は他の特徴のディスプレイ３４によって提供される表現である。ダッシュボードが例示的方法１２０（図８）を使用して更新された時に、ユーザに、ステータスインジケータ（図９Ａ−９Ｄ）と共に活動のアイコンを提供する。有利なことに、活動追跡システムの実施形態は、本発明のシステム内で予定された活動のステータス（図９Ａ−９Ｄ）又は順守（図９Ｅ−９Ｇ）を示すために単純なアイコン及びシステム状態を使用する。図９Ｅ、９Ｆ及び９Ｇは、来るべき予定されたイベント（図９Ａ）、時期を逸した又は見落とされた予定されたイベント（図９Ｂ）、完了したイベント（図９Ｃ）、又は未予定のイベントの完了（図９Ｄ）の表示として使用する例示的ステータスアイコンを示している。図９Ｅ、９Ｆ、及び９Ｇは、スケジュールの完全な順守（図９Ｅ）、スケジュールの殆ど完全な順守（図９Ｆ）、又はスケジュールの順守不良又は非順守のような順守インジケータとして使用する例示的ステータスアイコンを示している。これに加えて又は任意的に、ダッシュボードは、活動モニタシステムによってモニタされる１又は２以上の予定された活動の予定に対する順守を反映する順守インジケータを含むように更新することができる。
【００５４】
活動ステータスインジケータは、活動の４つの可能な状態のうちの１つを示すのに使用される。活動は、来るべき又は将来発生するように予定される。この状態は、例えば、図９Ａに示す円１４１内のクロックによって示されている。見落とされた活動は、図９Ｂに示す空の円１４２によって示されている。完了した活動は、図９Ｃに示されている穴埋めされた円１４３によって示されている。未予定の完了した追加の活動は、図９Ｄに示す十字を備えた円１４４によって示されている。予定された活動の順守はまた、３つの可能な状態のうちの１つを示す単純なステータスアイコンによって示されている。３つの可能な順守状態は、（１）スケジュールの完全な順守、（２）スケジュールの殆ど完全な順守、及び（３）スケジュールの順守不良又は非順守である。図９Ｅは、完全なスケジュール順守の幸せな顔１４５を示している。図９Ｆは、ほぼ完全な順守の悲しい顔１４６を示している。図９Ｇは、順守不良又は非順守の悲しい顔１４７を示している。
【００５５】
一態様では、活動モニタシステムは、経時的な（１週間／１カ月のスナップショット）順守を見るためのダッシュボードの自然の進行（１日のスナップショット）を提供する。１つの特定の実施形態では、同じアイコン及び視覚キューを使用する順守レポートカードが２つのモードで利用することができる。
・活動の寿命
・全ての活動の１週間のスナップショット
【００５６】
これに加えて、全てのモニタされる活動が順守レポートに示される。
【００５７】
図８に示すダッシュボード更新方法１２０を参照する。図８は、活動モニタシステムの予想される（予定された）及び実際の使用に基づいてダッシュボードステータスを更新するための例示的方法１２０である。ダッシュボードステータス方法１２０は、ステータス更新を開始することによって始まる（段階１２２）。最初に、要求された日付の午前１２時と午後１１時５９分の間に「予定されたイベント」があるか否かを決定する（段階１２４）。
【００５８】
予定されたイベントがある場合に、段階１２４はＹＥＳであり、次に、いずれかの実際の活動タグ検出が予定されたイベントに対応するか否かを決定する段階（段階１２６）に進む。実際の活動タグ検出が予定されたイベントに対応する（段階１２６がＹＥＳである）場合に、ダッシュボードディスプレイを更新して、活動タグアイコン及び塗り潰し円（図９Ｃ）を表示して完了した予定されたイベントを示す。この後に、段階１２４に進み、追加の予定されたイベントが存在するか否かを決定する。
【００５９】
実際の活動タグ検出が予定されたイベントに対応しない（段階１２６がＮＯである）場合に、予定されたイベントの期限が切れたか否かを決定する（段階１３０）。予定されたイベントの期限が切れていない（段階１３０がＮＯである）場合に、ダッシュボードディスプレイを更新して活動タグアイコン及びクロックサークル（図９Ａ）を表示して要求された日付の予定されたイベントを示す。この後に、段階１２４に進み追加の予定されたイベントが存在するか否かを決定する。予定されたイベントの期限が切れている（段階１３０がＹＥＳである）場合に、ダッシュボードディスプレイを更新して活動タグアイコン及び空の円（図９Ｂ）を表示して要求された日付の見落とされた予定されたイベントを示す。この後に、段階１２４に進み追加の予定されたイベントが存在するかを決定する。
【００６０】
全ての予定されたイベントが処理され、段階１２４の回答がＮＯになった状態で、段階１３６に進み、要求された日付の午前１２時と午後１１時５９分の間にいずれかの残りの実際のタグ検出があるか否かを決定する（段階１３６）。回答が段階１３６でＮＯである場合に、ステータス更新が完了する（段階１４０）。段階１３６の回答がＹＥＳである場合に、段階１３８に進む。段階１３８で、ダッシュボードディスプレイを更新して活動タグアイコン及び＋符号を備えた円（図９Ｄ）を示し、この関連付けられた活動の未予定の／追加のイベントを反映する。次に、段階１３６に戻り、段階１３６の回答がＮＯになり、ダッシュボード更新が完了する（段階１４０）まで残りの実際のタグ検出を認めて未予定の／追加の活動として示す（段階１３８）。
【００６１】
活動モニタシステムと併用するためのスケジュールを単純な方法でプログラムすることを可能にするために、自動スケジューリングプログラムを利用することができる。一態様では、プログラムが学習段階を完了した状態で、ユーザ活動スケジュールを予想するために自動スケジューリングプログラムが使用される。学習段階中に、本発明のシステムは、活動タグ使用時間及び頻度をモニタする。多くの状況で、ユーザは、追跡される活動を毎日完了している。この結果、学習段階期間を２４時間と短くすることができる。しかし、毎日又は週日タイプの活動スケジュールの変形を取り込む又は識別するために、学習段階は、４８、７２、９６時間のような２４時間よりも長く、又は７、１２、又は１４日間のような複数の日数以上実行することができる。一態様では、自動スケジューリングプログラムの学習段階は、４８時間と７日の間にわたって作動する。学習段階が完了した状態で、活動モニタシステムは、ユーザのあなたの実際の活動パターンに基づいてユーザ活動スケジュールを発生させる。
【００６２】
従って、１又は２以上のユーザ選択式活動タグの検出のタイミング及び頻度に基づいてユーザ活動の予定を「自動予定する」又は決定するように活動モニタシステムを使用することができることは認められるものとする。図１０は、ユーザ活動の予定を自動的に予定又は予想するための例示的方法１５０を示している。最初に段階１５２で、自動予定ルーチンが開始される。この実施形態では、自動予定されるユーザのスケジュールは、毎週繰り返されることが推測される。この結果、段階１５４は、最初にモニタ日数が７よりも大きいか否かを決定する。モニタ日数は、ユーザの活動スケジュールの推測される反復頻度に応答して変わり、相応に選択することができる。段階１５４の回答がＮＯである場合に、段階１５６に進み、モニタ日数の間にいずれかのユーザ活動又はリマインダーがあるか否かを決定する。回答がＹＥＳである場合に、段階１５８に進む。段階１５８は、ユーザ定義式一意的アイコン／接続性タグの組合せにユーザ活動が関連付けられたか否かを決定する。段階１５８の回答がＹＥＳである場合に、段階１６０に進み、ユーザは、活動が実行される度に活動に関連付けられた一意的活動タグ／アイコンの検出を可能にする。段階１５８の回答がＮＯである場合に、本発明のシステムは、モニタシステムに追加される新しいユーザ選択の活動タグを検出する（段階１６２）。この後に、ユーザは、活動がモニタ日数にわたって実行される度に読取器による活動タグの検出を可能にする（段階１６０）。段階１６０が完了した後に、モニタ日数が７より増大するまで段階１５４に戻る。
【００６３】
モニタ日数が７よりも大きくなった時に、段階１５４の回答がＹＥＳになり、次に段階１６４に進む。段階１６４で、活動タグ検出がタイミンググループに分類される。タイミンググループは、毎日１回、２回、又は３回のようなモニタ日数にわたる個別のタイミンググループ活動を識別するのに使用される。段階１６６では、各発生中に２つの活動を含有する時間帯区分＝３タイミンググループの例が存在する（各時間の２×活動タグ検出）。
【００６４】
次に、各時間帯区分に対する段階１６８で、活動が実行された１日の平均期間を決定する。この後に、段階１７０で時間帯区分タイミングが決定される。
【００６５】
次に、段階１７２で、活動及び時間帯区分の各々は、段階１７４で週日のスケジュール＝全日をもたらす１週間中の各活動タグに対して同じであると仮定される。
【００６６】
最後に、段階１７６で、モニタ期間中に検出された検出一意的アイコン／活動タグの各々を含む段階１６４、１６８、及び１７２で決定されたパラメータの各々に適合するスケジュールグループが発生される。
【００６７】
活動モニタシステムの実施形態を使用して、ユーザの薬剤スケジュールを追跡することができる。図３Ａ−３Ｄの例示的実施例と同様に、ユーザは、ユーザ選択式活動タグを適用するか又は反復スケジュールで摂取される薬剤、錠剤、又は他の品目を蓄えておくのに使用される容器又は他の品目にユーザ選択式活動タグを関連付けることができる。
【００６８】
本明細書に説明するシステム及び方法の実施形態は、個人が規則正しく完了したいと思っている１又は２以上の活動の実行を単純に予定する、思い出す、及びモニタする機能を個人に提供する。１つの特定の実施形態では、活動モニタ及び追跡システムは、薬剤（例えば、錠剤、カプセル、カプレット、粉末、液体、噴霧剤、ガスなど）を摂取するための１又は２以上の予定に関するスケジューリング、リマインダー、及び順守情報を提供するように構成される。一部の態様では、本発明のシステムは、薬剤を摂取する薬剤ユーザに又は本発明のシステムで指定された別の個人に警告又はリマインダーを提供することができる。活動モニタシステムは、関連付けられた薬剤を摂取するユーザの行為に対するプロキシとして薬剤の容器に関連付けられた一意的機械可読要素（例えば、ＲＦトランスポンダー又はＲＦＩＤタグ又はＮＦＣタグ又は光学認識ラベル）の検出を使用する。活動モニタシステムは、薬剤の容器にある薬剤の他のデータの入力を任意的に受信又は許可することができる。活動に関する予定時間が来た又は過ぎた時に、活動タグ読取器３０又は他の適切に構成されたディスプレイ含有携帯式電子デバイスは、聴覚、視覚、及び／又は物理的（すなわち、振動）信号を発生させ、又は他のリマインダー通知（電話、スマートフォン更新、ＳＭＳなど）を提供して、ユーザ又はリマインダー又は他の通知の指定された受信者に警告することができる。
【００６９】
一実施形態では、患者が選択するアイコン１６（ピクトグラム、図形、色、イニシャル、写真など）に結合された受動一意的通信要素又は機械可読要素１４（ＲＦＩＤ又はＮＦＣ）が薬剤の容器に取り付けられる。容器は、患者固有の錠剤療法による患者によって摂取されるいくつかの錠剤を保持する。ユーザ選択式活動タグに関連付けられたいずれの容器の関わっている薬剤も、店頭の薬剤（例えば、錠剤、カプセル、カプレット、粉末、液体、噴霧剤、ガスなど）、又は処方箋によって提供される薬剤（例えば、錠剤、カプセル、カプレット、粉末、液体、噴霧剤、ガスなど）とすることができる。更に別の態様では、本発明のシステムによって追跡される薬剤は、短期又は長期にわたって反復的又は定期的にユーザによって摂取されるビタミン、ミネラルサプリメント、ダイエットサプリメント、栄養補助食品などとすることができる。
【００７０】
患者が錠剤を摂取するために容器を手に取る度に、容器は、要素１４の検出を可能にするような方法で読取器の範囲内を通される。範囲内は、多くのＲＦＩＤタグの数ｃｍの短い範囲から、多くのＮＦＣタグの読取器に接触して使用される機械検出可能要素及びシステムのタイプに応答して変わる。読取器は、活動タグ１０が読取器によって読み取られた時間に対応する読取時間及び日付を記録する。読取器は、タグ読取記録をローカルで維持するか又はタグ読取記録をリモートシステム（すなわち、クラウドベースの活動モニタシステムデータベース又は類似のシステム）に提供することができる。データベースの患者記録は、患者識別情報及びタグ読取データ（タグＩＤ、日付及び時間）を含む。
【００７１】
一態様では、本発明のシステム内の患者薬剤摂取モニタスケジュールは、患者情報、患者によって使用される各タグのタグ識別情報（すなわち、タグを読取器／システムに対して一意的に識別する）、患者選択アイコン１６又は各タグ１０の呼称（すなわち、写真、色、文字、図形など）、この患者固有のアイコン１６／タグ１０に関連付けられた薬剤が摂取される時間の患者固有のスケジュール（４時間に１錠剤、６時間毎に２錠剤、毎日１錠剤又は類似の情報）を含む。
【００７２】
一実施形態では、モニタシステムは、いずれかの薬剤の名前、処方情報、又はヘルスケアプロバイダ又は薬局又は本発明のシステムによって追跡されるいずれかの薬剤の特定の投与情報とのいずれの対話も要求又は指定しない。ユーザは、薬剤瓶を追跡するのに使用されるアイコンを定義し、その薬剤の投与の適切なスケジュールを入力し、かつ関連付けられた瓶又は容器内の薬剤を摂取するためのプロキシとして本発明のシステムのそのアイコンの追跡を開始することができる。
【００７３】
処方及び準拠挙動をプッシュする以前のリマインダーシステムとは対照的に、本明細書に説明するモニタシステムは、一意的タグ／ユーザアイコンを使用して増補されるユーザ薬剤スケジューリング及びユーザが指定したスケジュールへの「順守を示すための瓶スワイプ」を可能にする。
【００７４】
本明細書に説明する活動モニタシステムの実施形態は、（ａ）タグ／読取器を通じて本発明のシステムに識別可能な容器及び患者に識別可能なアイコン又は他の記号だけを必要とし、かつ（ｂ）薬剤を摂取した時に容器（すなわち、容器上の活動タグ１０）が、読取器によって読み取られるように提示され、選択された容器内の薬剤を摂取しようにとするユーザの意図をログする。一態様では、タグ１０の機械可読要素１４は、この要素に対する製造番号に関する情報だけを含有する。他の実施形態では、アイコン／絵文字／記号／色又は他のユーザ識別可能な属性も存在する。一実施形態では、機械可読要素は、いずれの薬品、薬剤、Ｒｘ、又は患者医療情報に関するいずれの情報も含有しない活動タグである。他の態様では、活動モニタシステムに使用される機械検出可能要素１４は、上述の情報のいずれかを含有するいずれの書込システムとも通信しないか又は書込可能要素ではない。
【００７５】
ユーザ構成可能活動モニタシステム設計の利点の１つは、一部の実施形態では、ユーザ定義／選択アイコンによって識別される容器内の錠剤を摂取する時間に関する通知がユーザに提供されることである。ユーザは、薬剤の名前、特徴を識別する一般名又はその他を含むいずれかの呼称を使用して錠剤に名前を付けることができる。介護者への支援として、共通の名前又は錠剤の説明をリマインダーに含めることができるが、各々がユーザによって割り当てられる。例示的リマインダーは以下を含む。
「午前８時１５分に２つのブルーボーイを摂取」＜投与量＞＜ユーザ呼称＞
「午前８時１５分に２オレンジトライアングルを摂取」＜投与量＞＜ユーザ選択式アイコン＞
「午前８時１５分に２モトリン／オレンジトライアングルを摂取」＜投与量＞＜薬剤名＞＜ユーザ選択式アイコン＞
「午前８時１５分に２アダピトロール／グリーンクロス／黄−赤カプセルを摂取」＜投与量＞＜薬剤名＞＜ユーザ選択式アイコン＞＜薬剤説明＞
【００７６】
上述のように、同じアイコン及び視覚キューを使用して１カ月毎、半年毎、１年毎、又は１週間毎のいくつかの異なる時間スケールに基づいて活動モニタシステムの薬剤追跡ユーザのための順守レポートカードを提供することができる。一例示的実施例では、順守レポートが２つのモードで提供される。
・薬物療法の存続期間
・全ての薬物療法の１週間のスナップショット
【００７７】
一態様では、活動モニタシステム内で追跡／モニタされる全ての能動薬物療法が順守レポートに表示される。
【００７８】
ダッシュボード及び１又は２以上の順守レポートの錠剤モニタ実施の更に別の態様では、追加の警告及び通知システムが、活動モニタシステムによって提供される。薬剤摂取する予定された活動の重要度が与えられると、３つの追加の機能が活動モニタシステムの実施形態に含まれる。以下の機能のうちの１又は２以上を提供することができる：
・予想される活動の欠如によって推測されるいずれかの考えられる個人的な障害又はユーザに引き起こされた深刻な出来事をシステムに警告する
・インターネット接続性に影響を与えるＷｉ−Ｆｉ又は３Ｇのようなネットワーク依存状態のような活動タグ読取器又は他の活動モニタシステム活動による考えられる技術的な問題を検出する
・いずれかのユーザの有用性又はアクセスの問題が、活動タグ読取器又はモニタシステムの使用を阻止する場合があるか、又は薬剤使用を追跡するためにデバイスの使用を続ける動機の欠如があるか否かを決定する。
【００７９】
この結果、薬剤摂取活動を追跡する際に使用するように構成された活動モニタシステムの実施形態は、１又は２以上の警報システムを含む。一態様では、本発明のシステムは、薬剤の予定時間前又は予定時間に通常送られるリマインダー（図６を参照）を提供する。一態様では、予定時間後にリマインダーを送信することができる。一実施形態では、薬剤が既に摂取された後でも、リマインダーが常に送られる。一実施形態では、リマインダーが錠剤の服用者に送られる。
【００８０】
別の態様では、活動モニタシステムは、薬剤摂取活動に適するように構成された特例警報を提供する（図７を参照）。一実施形態では、予定された薬物療法（予想時間）が発生した後３０分、６０分、又は１２０分のいずれかに特例警報を送信することができる。通常のスケジュール後３０分、６０分、又は１２０分期間前に薬物療法が取れられていない時だけ特例警報が送られる。一態様では、特例警報は、電子メールを通じて錠剤服用者及びいずれかの他の関連の当事者に送られる。
【００８１】
別の態様では、活動モニタシステムが薬物療法ログ警報を提供する。一部のシステム構成では、ユーザは、特定のスケジュールで摂取されていない場合に重大な健康に有害な結果を有するある一定の薬物療法を追跡／モニタしている。これらの状況では、各投与時に警報を送信することができる。１つの例示的使用は、必要な時だけ摂取されるように意図されることが多い鎮痛剤とすることができる。一実施形態では、特例警報は、電子メールを通じて錠剤服用者及び他の関連の当事者に送られる。
【００８２】
図１１−１７Ｃ２は、ユーザ選択式活動タグに使用されるように適応された薬剤容器の様々な実施形態を示している。この環境では、ダッシュボードアイコンに関連付けられた意味は、投与又は活動タグに関連付けられた活動と薬剤摂取の他の組合せを提供するために錠剤の１投与又は特定の組合せを摂取することに対応する特定の活動とは異なっている。図９Ａ−９Ｄで上述の様々なダッシュボードアイコンの意味は、図１８Ａ−１８Ｄに示す意味に関連付けられる。特定の活動に対して構成された時でも、活動モニタシステムは、同じ４つの活動状態で機能することは認められるものとする。様々な錠剤容器の実施形態の各実施形態について以下に説明する。
【００８３】
図１１は、ユーザ選択式活動タグを有する１週間毎、午前／午後、又は１日に二度の錠剤ボックス１８０の斜視図である。錠剤ボックス１８０は、１週間の各曜日に仕切られる。１週間の各曜日は、１対のチャンバ１８２、１８４を有する。チャンバ１８２、１８４は、ユーザの朝及び夕方又は１日の二度の錠剤スケジュールに従って必要に応じて満たされる。単一活動タグ１０は、ユーザが錠剤ボックス１８０によって活動を実行することを示すのに使用される。活動タグ１０は、ボックス１８０の片方に見ることができる。活動タグ１０は円盤型のベース１２と番号２であるアイコン１６を含む。使用中に、活動タグ１０は、この活動タグに関連付けられた機械検出可能要素が活動モニタシステムの特定の実施に応答して活動タグ読取器３０又はスキャナ３６によって検出又はこれと対話するように位置決めされる。使用中に、早朝の錠剤ボックス１８０の活動タグの検出は、午前のチャンバ１８２に含有された錠剤を摂取する活動に関連付けられる。ダッシュボードは、アイコン２及び塗り潰し円を示す（図１８Ｃ１４３を参照）。アイコン２の次の活動タグ検出、又は当日遅くの錠剤ボックス１８０の活動タグの検出は、午後のチャンバ１８４に含有された錠剤を摂取する活動に関連付けられる。ダッシュボードは、アイコン２及び追加の塗り潰し円を示すように更新される（すなわち、図１８Ｃ）。この日に対して、ユーザは、活動タグアイコン２に関連付けられた２投与があるので完全な順守を有する。午前及び午後の活動タグ検出イベントの両方が発生したので、ユーザは、その２投与の毎日のスケジュールへの完全な順守の午前及び午後の投与の両方を摂取したと仮定される。ユーザダッシュボードは、笑顔マーク１４５（図９Ｅ）のような完全な順守アイコンを示すように更新することができる。
【００８４】
図１２Ａ及び１２Ｂは、ユーザ選択式活動タグを含む１週間、１日１度の錠剤ボックス１８５の上面及び底面図である。図１２Ａで良く分るように、錠剤ボックス１８５は、１週間の曜日毎に仕切られる。１週間の各曜日がチャンバ１８６を有する。曜日のチャンバ１８６は、ユーザの毎日の又は１週間の曜日の錠剤スケジュールに従って必要な時に満たされる。図１２Ｂで良く分るように、単一活動タグ１０は、錠剤ボックス１８５によってユーザが活動を実行していることを示すのに使用される。活動タグ１０は、ボックス１８５の底部に見ることができるが、異なる場所に配置することもできる。活動タグ１０は、円盤型のベース１２及び数４のアイコン１６を含む。使用中に、活動タグ１０は、この活動タグに関連付けられた機械検出可能要素が活動モニタシステムの特定の実施に応答して活動タグ読取器３０又はスキャナ３６によって検出され、又はこれと対話するように位置決めされる。使用中に、錠剤ボックス１８５のための活動タグ１０の検出は、チャンバ１８６に含有された錠剤を摂取する活動に関連付けられる。ダッシュボードは、アイコン４及び塗り潰し円を示す（すなわち、図９Ｃ）。これは１日に１度の治療なので、ユーザは、１日につき活動タグアイコン２に関連付けられた単一投与しかないので完全な順守を有する。予定／予想される活動タグ検出イベントが引き起こされたので、ユーザは、その１日に１度のスケジュールへの完全な順守に対して１日に１度の投与を摂取したと推測される。ユーザダッシュボードはまた、笑顔マーク１４５のような完全な順守アイコンを示すように更新することができる（図９Ｅ）。
【００８５】
様々な他の実施形態では、図１１−１２Ｂに図示及び説明した錠剤容器をＢｌｕｅｔｏｏｔｈ（登録商標）又は他の無線通信機能を含み、かつ全体の錠剤ボックスの使用及び／又は錠剤ボックスにおける各個々の容器の使用表示を提供するように構成することができる。そのようなＢｌｕｅｔｏｏｔｈ（登録商標）対応錠剤ボックス／ストリップ実施形態では、区画１８２／１８４（図１１）又は区画１８６（図１２Ａ）の各蓋は、対応する区画がアクセスされた時にＢｌｕｅｔｏｏｔｈ（登録商標）センサを開始するように適応される。区画がアクセスされた（すなわち、容器の蓋が開いた）時に、本発明のシステムは、ユーザがその容器の錠剤又は内容物を摂取したと仮定する。データポイント（例えば、Ｂｌｕｅｔｏｏｔｈ（登録商標）要素検出及び検出の日付／時間の識別）が、Ｂｌｕｅｔｏｏｔｈ（登録商標）を通じてスマートフォン又は他の手持ち式電子デバイスに送られる。代替実施例では、小型運動センサ又は加速度計又は他のＭＥＭＳベースのデバイスを使用して運動、移動、又はユーザ活動を示してトラクト活動を引き受けることができる。この後に、データポイント又は複数のデータポイントが、セルラーネットワーク上で、Ｗｉ−Ｆｉ又は他の適切な通信モードを通じて、活動モニタシステムと併用するように構成されたクラウドベース／ＡＰＩに送られる。更に別の代替実施形態では、読取器３０、複数曜日の錠剤ボックスの各ボックス／引き出し／容器は、例えば、光ベースのインジケータ又はＬＥＤによって構成することができる。光に基づくインジケータ又はＬＥＤは、この容器／ＬＥＤに関連付けられた内容物が摂取される時間、活動が行われる時間に光るか、又は順守の程度を示す。この実施形態に使用される活動スケジュールは、本明細書に説明するものに類似の方式で設定される。１つの特定の実施形態では、１つの修正は、機械可読要素が、単独又は区画の上のＭＥＭＳパッケージの一部のいずれかのＢｌｕｅｔｏｏｔｈ（登録商標）要素であり、活動タグ読取器３０が、Ｂｌｕｅｔｏｏｔｈ（登録商標）対応スマートフォン又は他の適切な電子デバイスであるということである。システム使用通知、特例、リマインダー、及び他の態様は、本明細書に説明するように提供することができ、修正が、ある一定の予め決められた時間までに行われなかった場合に、介護者／関連の当事者に電子メール又はテキストメッセージを送信することができる。
【００８６】
図１３Ａ及び１３Ｂは、ユーザ選択式活動タグを有する毎週、毎日１度の錠剤ストリップ１９０の上面及び底面図である。図１３Ａで良く分るように、１週間の各曜日のための錠剤２を含有する錠剤ストリップ１９０は、穿孔４によって仕切られる。図１３Ｂの底面図で良く分るように、１週間の１日当たりの各錠剤２は、各錠剤２に関連付けられた一意的活動タグ１０（すなわち、アイコン１６が四角のベース１２上のＤ１−Ｄ７である）を有する。使用中に、個々の錠剤２は、穿孔４で分けられており、この錠剤に対する単一活動タグ１０（アイコンＤ１−Ｄ７）が検出され、ユーザが特定の錠剤２のうちの１つ又は特定の錠剤２を摂取していることを示す。錠剤ストリップ１９０は、各穿孔を備えた錠剤容器１９２上の同じタグ１０を含むことができ、各タグは、単一タグの使用に対して図１１、１２Ａ／１２Ｂの例に示されている通りに走査される。活動タグ１０は、図１３Ｂで良く分るように、各穿孔を備えた錠剤区画１９２の底部で見ることができる。活動タグ１０は、四角い形のベースと数Ｄ及び数１から７であるアイコンを含む。使用中に、ユーザは、穿孔４を使用してストリップ１９０から関連付けられたタグを備えた錠剤区画１９２を切り離す。次に、この錠剤２に対する特定の活動タグは、この活動タグに関連付けられた機械検出可能要素（すなわち、Ｄ１−Ｄ７）が活動モニタシステムの特定の実施に応答して活動タグ読取器３０又はスキャナ３６によって検出又はこれと対話するように位置決めされる。特定の活動タグＤ１−Ｄ７の検出は、指定された穿孔を備えた錠剤のチャンバ１９２に内包された錠剤２を取り出す活動に関連付けられる。ダッシュボードは、アイコン４及び塗り潰し円を示す（すなわち、図９Ｃ）。これは１日の１度の療法なので、この日に対して、ユーザは１日当たりの活動タグに関連付けられた単一投与しかないので完全な順守を有することになる。予定／予想される活動タグ検出イベントが引き起こされたので、ユーザは、１日１度のスケジュールに対する完全な順守の１日に１度の投与を摂取したと推測される。ユーザダッシュボードは、笑顔１４５（図９Ｅ）のような完全な順守アイコンを示すように更新することができる。
【００８７】
図１６Ａ及び１６Ｂは、パックの縁部に添付されたユーザ選択式活動タグを含む１５回分のブリスタパック２１０をそれぞれ示す側面及び上面図である。図１６Ｂで良く分るように、ブリスタパック２１０は、穿孔４によって錠剤２の１５の個々の投与に仕切られる。図１６Ａの側面図で良く分るように、単一活動タグ１０（すなわち、ディスク上のアイコンＬ）がブリスタパック２１０の錠剤２に関連付けられる。使用中に、個々の錠剤２は、穿孔４で切り離され、ブリスタパック２１０の単一活動タグ１０が検出され、ブリスタパック２１０に関連付けられた錠剤２のうちの１つをユーザが取り出していることを示している。錠剤ストリップ１９０と同様に、ブリスタパック２１０は、ブリスタパック２１０内の錠剤２の各々に一意的又は同じタグを含むように構成することができることは認められるものとする。例示的実施形態では、タグ１０は、縁部装着式活動タグの例である。この点で、活動タグは、ブリスタパック２１０の側面に位置決めされ、ブリスタパックに共通のアルミ箔ライニングからの読取器／スキャナとの考えられる干渉を低減する。追跡される容器に発生するアルミ箔又は他の干渉材料も、個別の活動タグ（すなわち、容器に取り付けられていないタグ）を使用することによって追跡することができるが、追跡されたアクションが引き起こされた時に検出器上に配置される。これは、図２４に関して以下に説明する複数の個人の実施形態に使用される追加のタグに類似である。更に別の態様では、潜在的に干渉する容器の使用は、タグ／スキャナ３６又は本体３２に適切なシールドを提供することによって対処することができる。
【００８８】
前記の例が示すように、活動モニタシステムは、活動タグ３０内にあるこれに取り付けられたか又は関連付けられた機械検出可能要素１４の検出をユーザ活動に相関付ける。この結果、活動タグとこの活動タグに関連の容器、物体、又はデバイスとの間の適正な位置合わせをユーザが維持するためのモニタシステムの効率的かつ正確な作動が重要である。図１４及び１５は、図のように瓶のキャップに添付されたユーザ選択式活動タグ１０を有する錠剤瓶２００の斜視図を示している。似たような多くの錠剤ボトルがあるとすると、瓶のキャップが正しくない瓶の上に置かれる場合がある。しかし、活動タグが特定の瓶の活動追跡システムに登録された状態で、この活動タグの検出は、瓶の錠剤のうちの１又は２以上を摂取するユーザのためのプロキシとして使用される。一実施形態では、正しい活動タグのアイコンへの類似性を担持するスティッカー２０２を錠剤の容器２００の瓶に適用することができる。図１４に示すように、キャップのタグ１０のアイコン１に適合するアイコン１を含有するスティッカー２０２が使用される。同様に、図１５に示すように、キャップのタグ１０のアイコン５に適合するアイコン５を含有するスティッカー２０２が使用される。
【００８９】
図１４はまた、錠剤瓶２００の処方ラベル２０４の実施形態を示している。処方ラベル２０４は、テキスト、並びに機械可読特徴２０６を含むことができる。図１４の例示的実施形態では、機械可読特徴は、バーコードである。バーコード又は他の既存の機械可読特徴２０６は、特徴２０６が本発明のシステムによって検出可能である限り活動モニタシステムによって使用して、関連容器を追跡するための一意的識別を提供することができる。一部の任意の実施形態では、ＡＰＩ／クラウド又はリモートサーバが、処方情報のソースと通信し、ユーザは、活動追跡システムに活動タグに関連付けられた追加の情報を読み取ることができる。他の態様では、ユーザは、別のデバイス又はスマートフォン又はタブレットを使用して、バーコード又は他の機械可読データを読み取り、この情報を活動追跡及びモニタシステム内のアイコンに関連付けることができる。
【００９０】
図１４及び１５は、蓋に添付されたユーザ選択式活動タグを備えた錠剤瓶の斜視図である。これらの図はまた、蓋に添付された活動タグ１０が、錠剤が消費及び補充された場合に瓶から瓶にどのように移動することができるかを示している。この点で、活動追跡システムの使用は、新しく補充された瓶の処方に関連付けられた活動タグを備えた蓋を単純に使用することによって補充された処方と共に継続される。
【００９１】
図１７Ａ−１７Ｃ２は、適正な瓶、キャップ、及び活動タグが共に関連付けられて使用されることを保証する別の代替実施形態を示している。図１７Ａは、各々が蓋及び瓶の本体に１対の同様に機械符号化されたユーザ選択式活動タグを有する３つの薬剤瓶２００の前面図を示している。各タグのアイコンは、同一の適合した対である。この例では、タグは、Ａ／Ａ、Ｂ／Ｂ、及びＣ／Ｃを有する。３つの瓶は、本明細書に説明する活動モニタシステムに登録され、各々が、一意的機械可読要素、並びにユーザ選択式アイコンＡ、Ｂ、及びＣを備える。正しい活動タグ−瓶登録が維持されることを保証するこの実施形態では、適合する活動タグが、図のように瓶及びキャップに提供される。アイコンだけがスティッカー２０２に表示されている図１４及び１５とは対照的に、図１７Ａの瓶２００は、読取器／スキャナ３６又は活動タグ読取器３０との単一対話／検出中に両方が読み取られるように位置決めされたキャップと本体に活動タグを有する。図１７Ｂ１は、正しくない蓋を備えた図１７Ａの瓶（瓶Ｃに蓋Ａ）及び図１７Ｂ２には例示的な関連のディスプレイ警告を示している。図１７Ｂ１は、タグアイコンＣを有する瓶にアイコンＡを有するタグを備えた混合瓶／キャップ状況を示している。図１７Ｂ２に示すように読取器及びリマインダーユニット３０の近くに位置決めされた時に、活動及びモニタシステムは、２つの異なるタグ（Ａ及びＣ）を検出して予定されているのがＡでないことをディスプレイ３４に示している。このユーザは、アイコンＡを関連の瓶の２×５０ｍｇテーブルに相関付けることを予定するように本発明のシステムを構成している。スケジュールは、アイコンＡに関連付けられた機械可読要素が０９００で存在していることを予想していた。この結果、ディスプレイを更新することができ、又は本発明のシステムは、適切な警告をユーザに提供することができる。図１７Ｂ２のディスプレイ３４の下の部分は、「間違った瓶」を読み取るように更新される。図１７Ｃ１は、正しい蓋と瓶配置（蓋Ａと瓶Ａ）を備えた図１７Ａの瓶を示し、例示的関連付けられたディスプレイが図１７Ｃ２に示されている。図１７Ｃ１の例示的実施形態では、瓶とキャップの両方が同一のタグ１０を含有し、ここでは両方がアイコンＡと対応する類似の機械可読要素を有する。瓶とキャップのタグが適合するので、図１７Ｃ２のディスプレイ３４は、予想されるアイコンＡがスケジュールに従って存在したことを示している。ディスプレイ３４の下側部分は、結果として「正しい瓶」を読み取るように更新される。聴覚警告又はアラームのような他の警告を使用して、正しい及び正しくない瓶／キャップの組合せを示すことができる。例は、瓶を検査、その通り、オーケー、ビンゴ、瓶／キャップの適合、もう１度トライ、適合せず、検査マーク、Ｘマークのようなメッセージを含み、ユーザによって選択されるように、ディスプレイの色を赤に変え、ディスプレイの色を緑又は他の異なる正しいか又は誤ったインジケータに変える。
【００９２】
本明細書に使用するダッシュボードは、ディスプレイ３４によって提供される活動追跡システムのうちの１又は２以上のユーザのステータス、順守、スケジュール、又は他の特徴の表現である。ダッシュボードは、活動が予定された時間に投与を摂取する例示的方法１２０（図８）を使用して更新された時に、ユーザにステータスインジケータ（図１８Ａ−１８Ｄ）と共に活動のためのアイコンを提供する。これに加えて又は任意的に、ダッシュボードはまた、活動モニタシステムによってモニタされている１又は２以上の予定された活動の予定に対する順守を反映する順守インジケータを含むように更新することができる。有利なことに、活動追跡システムの実施形態は、本発明のシステム内の予定された投与活動に対するステータス（図１８Ａ−１８Ｄ）又は順守（図９Ｅ−９Ｇ）を示すために単純なアイコン及びシステム状態を使用する。図１８Ａ−１８Ｄの例示的実施形態に示されている活動ステータスインジケータは、活動の４つの可能な状態のうちの１つを示すのに使用されるアイコンの使用である。来るべき予定された投与は、来るべき又は将来発生するように予定される。この状態は、例えば、図１８Ａに示す円内のクロック１４１によって示されている。見落とされた投与は、図１８Ｂに示す空の円１４２によって示されている。完了した投与は、図１８Ｃに示す塗り潰し円１４３によって示されている。予定されていなかったが完了した追加の投与摂取は、図１８Ｄに示す十字を備えた円１４４によって示されている。投与スケジュールの順守はまた、３つの可能な状態のうちの１つを示す単純なステータスアイコンによって示される。３つの可能な順守状態は、（１）スケジュールの完全な順守、（２）スケジュールの殆ど完全な順守、及び（３）スケジュールの順守不良又は非順守である。図９Ｅは、完全なスケジュール順守に対する幸せな顔１４５を示している。図９Ｆは、ほぼ完全な順守に対する悲しい顔１４６を示している。図９Ｇは、順守不良又は順守なしの悲しい顔１４７を示している。
【００９３】
「食事あり」又は「食事なし」又は「牛乳と一緒」又は他の要件と共に取られる一部の薬物療法があるので、本発明のシステムによって「食事」又は「液体」活動タグも提供することができる。ユーザは、ユーザが食事又は飲もうとする（例えば、８オンスの水を飲む）時にそのようなタグをスワイプすることができる。活動追跡システムは、食事時間／飲水時間をマーク付けする。以下に説明するように機械可読患者状態インジケータ４９０により、本発明のシステムは、一般的な自己検出健康表示のユーザ入力を捕捉又は収集又は受け入れることができる。この結果、ユーザデータセットは、健康の表示と共に食事又は飲酒した時に摂取された投与のタイミングを含む。これらの記録されたイベントのタイミング及び意味から引き出された変形、相関関係、又は他の情報をユーザの活動及び／又は投与スケジューリング、順守、及び健康のレビューに含むことができる。ユーザ投与又は活動スケジュールは、改善された順守又は改善された健康のような１又は２以上のファクタに基づいて修正することができる。
【００９４】
図１９は、アイコン１、９、１２、及び１５によって示される４つの追跡される活動に対する現在のステータスを表示するディスプレイ３４に表示されるような活動タグ読取器３０による例示的ユーザダッシュボード又はディスプレイ又は表示である。この特定の実施例では、ユーザは、一意的識別子１、９、１２、及び１５によって示される４つの異なる薬物療法を受けている。アイコンは、図１８Ａ−１８Ｄで提供した定義に対応する。この実施例では、錠剤を摂取する各活動（アイコン１、９、１２、及び１５によって示される）が、アイコン１、９及び１５に関連付けられた錠剤の場合は４回及びアイコン１２に関連付けられた錠剤では２回発生する。このダッシュボードは、関連付けられた活動のプロキシとして全ての４アイコンのユーザのステータスを示す。
【００９５】
図２０は、モニタシステムの幾人かのユーザの順守表示を示すディスプレイを例示する。複数のユーザのこの要約の順守は、本明細書に説明する活動モニタシステムが単一場所で幾人かのユーザによって又は単一介護者の介護の下に使用される時に有用とすることができる。活動順守の３つの状態により、介護者は、表示されたディスプレイを迅速に走査して、アルフレッドＲ及びメリーＱが完全な順守（すなわち、笑顔１４５）によって現在順調に実行していると決定することができる。同様に、完全ではないモンティＰも、十分に実行している場合がある（すなわち、片方の笑い１４６）。ディスプレイは、モニタされている４人の患者のうちのジョンＬが自分のスケジュールを順守していないか又は間違って順守している（しかめっ面アイコン１４７）ことを容易に明らかにする。一見して、介護者は、モンティＰの次にジョンＬを検査することを知る。他の実施形態では、記号、アイコン、絵文字、又は顔文字のような異なる順守インジケータを使用して、予定された活動に対する順守を一目で分るように示すことができる。
【００９６】
図２１は、４人の異なる患者に対して、複数の患者、複数の日、又は複数のモニタ期間の順守を示すディスプレイ３４の画面図である。
【００９７】
図２２は、個人の薬物療法を追跡又は予定する際の使用に適応された活動モニタシステムを確立する方法３００である。図２３は、無地（Ａ、Ｂ、及びＣ）、ラベル上にテキストを含む（Ｄ）か又はバーコード（ＲｘＡ及びＲｘＢ）又はＲＦＩＤ要素（ＲｘＣ）のような既存の機械可読要素を含む様々な錠剤瓶を示している。一部の実施形態では、既存の機械可読要素は、本発明のシステムによって読み取られる情報を含有することができる。他の実施形態では、活動追跡システムによって使用される機械可読要素の唯一の態様が一意的要素ＩＤである。他の実施形態では、処方ラベルに印刷されたバーコードのような既存の機械可読要素がシステムによって使用されず活動タグ読取器３０によって無視される。
【００９８】
図２３に見出される例示的患者状況を説明する図２２の方法３００をここで参照する。最初に、追跡される薬物の入った容器があるか否かを決定する（段階３０５）。図２３の場合に、このユーザは、追跡される７つの異なる容器又は薬剤を有する。段階３１０で、容器に関連付けられた既存の機械検出可能要素１４があるか否かを決定する。
【００９９】
既存の機械検出可能要路１４がある（段階３１０がＹＥＳである）場合に、段階３１５が使用され、要素が本発明のシステムの活動タグ読取器３０に適合するか否かを決定する。瓶ＲｘＡ、ＲｘＢ、及びＲｘＣの場合に、バーコード又はＲＦＩＤが認識され、又は本発明のシステムによって使用されるか否かが決定される。いずれにせよ、段階３１５又は３２５の結果がＮＯである場合に、段階３２０に進み、ユーザ選択式活動タグを容器に取り付ける。
【０１００】
既存の機械検出可能要素１４がない（段階３１０がＮＯである）場合に、段階３２０に進み、上述のようにユーザ選択タグ１０を取り付ける。図２３は、ユーザが５つの一意的タグ（タグ１−５）を有し、各々がそれに一意的ユーザ選択式アイコン（アイコン１−５）を有することを示している。タグは、必要に応じて１つの瓶に１つ取り付けられ、方法３００に概説された段階に続く。
【０１０１】
次に、タグを取り付ける（段階３２０）か又は既存のタグが許容される（段階３２５がＹＥＳ）と決定した後に、ユーザは特定の瓶の活動タグ内の一意的機械可読要素を瓶に内包された薬剤を摂取するアクションに関連付ける。活動タグが活動タグ読取器によって検出される度に、本発明のシステムは、この瓶の錠剤又は投与又はユニットがユーザによって摂取されたことを示す。
【０１０２】
この後に、段階３３５で、ユーザは、追加の情報を追加して瓶／活動タグの組合せに関連付けることができる。個人の記録、病歴から情報をアップロードし、スマートフォン又は手持ち式デバイスから走査し、マニュアル入力、ルックアップテーブル、薬局データベースにアクセスし、ユーザが薬物摂取療法に準拠することを助けるために医療センターデータベースにアクセスするか又はユーザに利用可能な情報のソースにアクセスすることなどにより、活動モニタシステムに情報を追加するための多くの様々な方法がある。追加する追加の情報がない（段階３３５がＮＯ）である場合又は段階３４０が情報を追加することによって完了した時に、ユーザは、追加する別の活動があるか否かを決定して（段階３５０）、ある場合に、段階３０５に戻る。段階３５０の回答がＮＯである場合に、追加する活動はなく、処理３００は終了する。
【０１０３】
図２４は、複数のユーザが、共通ソースから取られた投与を示すのに使用される個々のタグの使用を含む単一活動モニタシステムを使用する時の例示的設定を示す図表である。この例では、第１のユーザのパムが、アイコン（すなわち、一意的活動タグ）Ｐ１、Ｐ２、Ｐ３、及びＰ４に関連付けられた４つの薬剤を含む薬剤処方（Ｒｘ）を有する。第２のユーザのローレンスは、アイコン（すなわち、一意的活動タグ）Ｌ１、Ｌ２、Ｌ３、及びＬ４に関連付けられた４つの異なる薬剤を含む薬剤処方（Ｒｘ）を有する。パムとローレンスの各々は、タグ共通薬剤１、２、３、及び４を有する。共通薬剤は、例えば、漢方薬、市販薬、ビタミン、又は鎮痛剤などを含む。パムは、ローレンスのようにローレンスタグとは別に登録されたパムタグと指定されたタグを有する。別々に登録されたタグは、いずれの特定の瓶にも関連付けられない。これらのタグは、指定された登録ユーザ、この例ではパム又はローレンスによって行われるシステム活動を示すのに使用される。
【０１０４】
使用中に、パム及びローレンスは、その一意的な個々の活動タグＰ１−Ｐ４及びＬ１−Ｌ４それぞれに関して上述したように活動モニタシステムを使用する。薬剤が個々の瓶から取られた時に、この瓶のタグは、読取器３０によって検出されるように位置決めされる。登録タグ内の検出された機械可読要素は、活動（瓶内の薬剤を摂取する）が取られたことを示すのに使用される。パム又はローレンスが共通の薬剤の１つ（タグ１、２、３、及び４を有する）を取るように予定された時に、共通の瓶のタグ及び個別のタグ（パム又はローレンス）の各々は、共通の瓶からの薬剤が取られた時に走査される。
【０１０５】
患者固有の瓶の場合に、パムのＰ１−Ｐ４及びローレンスのＬ１−Ｌ４の各々が、上記に予定され上述のようにタグ読取器に対して瓶をスワイプする。これらの患者固有の瓶の各アクションは、その特定の活動タグに対して記録される。共通の薬物療法の場合に、ユーザは、その個々のタグが後に続く共通のタグを走査する。例えば、パムが取った場合に、パムは、瓶に共通のタグ及び次にパムタグを走査する。本発明のシステムは、パムが特定の走査時間に共通投与を取ったことをログする。別の例では、ローレンスは共通３を取り、共通３瓶タグを走査する。この後に、ローレンスは、ローレンスタグを走査する。この場合に、システムは、走査時間にローレンスが共通３投与を取ったことをログする。
【０１０６】
臨床試験に対して構成された活動追跡システム
【０１０７】
一態様では、以下に説明する段階のいずれも、機械可読患者インジケータ４９０を使用してユーザが示す健康又は他の指定された個人的な情報を有する段階を含むことができる。臨床試験における薬剤又は他のアクションを取る段階と共に機械可読健康インジケータの使用は、薬物が取られた時間（すなわち、投与の完了を示すための薬物瓶の機械要素の検出又は他の走査）と機械可読患者健康インジケータ４９０の次の走査の間の時間ラグの高い精度を提供する。そのようなアクションは、あるとすれば薬剤消費といずれかの副作用開始の間のいずれかの時間ラグの改善した精度を提供する。一態様では、データ収集を標準化するために薬物消費後に定期的に健康インジケータ４９０をスワイプするようにユーザに促すことができる。
【０１０８】
以下に関して臨床試験に問題が存在する。
−参加者の登録の確認、薬剤の提供、薬剤を取るためのルーチンのスケジュール及び周期的な参加者フォローアップ、
−予定ルーチンの参加者コンプライアンスの保証及びコンプライアンスにおける変形の通知の表示及び特定の患者の臨床プロトコルとのコンプライアンスなしの重大度、
−トライアル参加者及びトライアル主催者の両方によって使用される単純なインタフェース、
−他の薬剤及び可能な薬物対話への洞察のための薬剤のタイミング又は健康をモニタされる患者を含む他の患者活動の追跡。
【０１０９】
臨床試験コンプライアンス及びモニタに使用する活動モニタシステム構成
【０１１０】
臨床試験で探索される設定トライアルグループ及びファクタ。この例では、試験薬物が、潜在的に干渉する薬物Ｂとの可能な新しい薬物対話を評価される。（ポット干渉薬物Ｂ）２つの時間間隔（時間１及び時間２）の投与の間のタイミング間隔を試験する。
0006768683.tif 000002
【０１１１】
Ｂ．トライアルグループＡ−Ｅの各々の活動固有のプロトコルをトライアルグループ固有の活動タグを含有する活動追跡システムにロードする。
【０１１２】
Ｃ．各トライアルグループからの試験被検体を活動追跡システムに登録してトライアルグループＡ、Ｂ、Ｃ、Ｄ、又はＥ投与療法に従って試験被検体を特定の投与プロトコルに相関付ける。各試験被検体は、試験サブジェクトＩＤ、トライアルグループ、及び活動タグ識別によってシステムで識別される。
【０１１３】
Ｄ．活動追跡システムを各試験被検体に配信、出荷、又は提供する。読取器／スキャナは、その臨床試験の物体に対する活動追跡ソフトウエア又はインターネット対応一意的エンロールメントをプレロードされる。任意的に、本発明のシステムはまた、トライアル期間、又は１週間、２週間などに使用するようにラベル付けされた／登録された容器に注がれた特定のセグメントの全ての薬剤を含むことができる。
【０１１４】
Ｅ．家庭で活動追跡システムを開始する試験被検体は、オンラインで訓練され、又は「初期設定」及び訓練に代表される臨床試験又は活動追跡システムによって訪問される。出荷が「ＹＥＳ」を受け入れたが開始が「ＮＯ」である場合に臨床試験チームへの追加の処理決定ループが存在することができることに注意されたい。この場合に、試験被検体とのフォローアップコール／連絡先が存在する。
【０１１５】
Ｆ．トライアルプロトコルでセットアウトする場合に、試験被検体は、適切な薬剤を取り、本明細書に説明するように活動追跡システムと対話する。
【０１１６】
Ｇ．活動追跡システムは、トライアルグループ療法に従って試験被検体コンプライアンスをモニタする。試験被検体療法タイミング錠剤＋「ＹＥＳ」であるが錠剤を取る試験被検体表示＋「ＮＯ」→試験被検体にコール／連絡先である場合はフィードバックの内包に注意されたい。
【０１１７】
Ｈ．活動追跡システムは、臨床試験被検体の健康／気分／健康／活動のようなインジケータ、並びに試験被検体によって入力された薬物投与タイミングデータを捕捉する（任意的）。
【０１１８】
Ｉ．活動追跡システムは、予め決められた間隔で又は特例が引き起こされた場合又は一般的な健康、臨床試験に特定の副作用又は他の表示に関する他の時間に試験被検体に問い合わせる。問合せは、特定のトライアルグループ又は期間に決定することができる。例えば、一般的な健康は、試行期間中の１週間に１度問い合わせる。特に試験対話又は感度に対して（すなわち、食事あり又はなし又はミルクあり又は代わりに水ありで薬剤を摂取する）健康問合せは、最後の活動タグ検出から設定された間隔で自動的に発生させることができる。臨床試験の仕様に応じた他の構成では、間隔６０分、９０分、１２０分、又は対話を検査するための他のタイミング（任意的）で健康を促すことによって異なるが潜在的に干渉するか又は逆の副作用を引き起こす薬物の投与間のタイミングの試験薬物対話がある。
【０１１９】
Ｊ．（任意的）臨床試験モニタの関連内で又は本明細書に説明する活動システムのいずれにも提供される追加の機能として、活動モニタユーザはまた、自己モニタのための活動モニタシステム及び自己観察の逆反応の潜在的な緩和を使用することができる。例えば、多くの薬剤は、投与間に又は別の薬剤を摂取する時に時間の範囲を提供する。この例では、活動追跡システムユーザは、自己報告健康と共に活動追跡システムを使用して（すなわち、図２５Ａ−２５Ｆの数字スケール又は文字スケール又は感情／表情の顔アイコンを使用して）処方された範囲の異なる錠剤タイミングを試験及び調節して、特定の錠剤／投与の組合せ又はタイミングに基づいて、健康、副作用又は他の症状軽減を記録することができる。有利なことに、活動モニタシステムユーザは、活動をモニタして本明細書に説明する活動追跡システムの実施形態で収集される活動データを分析して、異なるタイミングを試験して健康／対話／副作用結果感覚（良いか悪いか）を比較するために特定の投与タイミングを適応又は調節することができる。
【０１２０】
一態様では、本明細書に説明する活動モニタシステムの実施形態を健康表示又は疼痛表示デバイスからの入力を受信するように適応かつ構成することができる。疼痛表示デバイスは、本明細書に説明する一意的機械可読要素に結合された疼痛又は健康のユーザが決定するレベルを示す。機械可読要素は、要素が健康又は疼痛の適切なレベルを検出された時に、活動タグ読取器３０の実施形態のような適切なスキャナで要素検出の日付及び時間を記録されるように対応する疼痛又は健康インジケータに符号化される。
【０１２１】
１つの例示的世界共通疼痛スケールは、６つの目立たない疼痛レベルを含む。疼痛レベルは、疼痛のレベルに応答して、数字、短いテキスト記述及び笑顔／しかめっ面の変化するレベルで変わる笑顔によって表現される。この例示的疼痛レベルは、ウォンベーカー疼痛スケールとしても公知である。
【０１２２】
一態様では、テキスト記述子、アイコン、又は数字のみ又はいずれかの組合せも使用してユーザの気分、心的状態、健康、又は追跡される他の個人的な特徴を示すことができる。一意的機械可読要素１４は、各追跡される個人の特徴に関連付けることができ本明細書に説明する読取器３０でユーザによって追跡することができる。
【０１２３】
図２５Ａ−２５Ｆのアイコンの各アイコンは、一意的機械検出可能要素１４を含有するディスク形のベース１２にあるアイコン１６（すなわち、色に加えて表情又は絵文字又は顔文字）として構成することができる。図２５Ａ−２５Ｆは、例示的疼痛スケールの６つの異なるレベルの各々を表すアイコンを示している。任意的に又はこれに加えて、図２５Ａ−２５Ｆは、各レベルのアイコンを備えた活動タグと各レベルに対して読取器３０によって認識されるように符号化された機械要素１４を示している。そのような使用は、本明細書に説明する機械可読患者状態インジケータ４９０の様々な実施形態の全てで可能である。
【０１２４】
図２５Ａは、例示的アイコン１６又は緑色の背景の疼痛レベル０「痛見なし」の顔の符号化されたタグを示している。図２５Ｂは、例示的アイコン１６又は黄緑色の背景の疼痛レベル２「軽い痛み」顔の符号化されたタグを示している。図２５Ｃは、例示的アイコン１６又は青色の背景の疼痛レベル４「中くらいの痛み」顔の符号化されたタグを示している。図２５Ｄは、例示的アイコン１６又は黄色の背景の疼痛レベル６「強い痛み」顔の符号化されたタグを示している。図２５Ｅは、例示的アイコン１６又はピンク色の背景の疼痛レベル８「激しい痛み」顔の符号化されたタグを示している。図２５Ｆは、例示的アイコンｂ１６又は赤色の背景の疼痛レベル１０「想像を超える程の痛み」顔の符号化されたタグを示している。
【０１２５】
図２６Ａ−２６Ｃは、単独で又は機械可読患者状態インジケータ４９０のユーザ選択式活動タグとして構成された異なるアイコンの等角投影図を示している。この特定の実施形態では、患者状態インジケータは、顔の各々又は一部に示す異なる個人的な患者の状態を有する立方体である。立方体として示されている患者状態インジケータは、他の形を取って、示される個人的な患者の状態又は活動の望ましい数に適合するように顔を増すか又は低減することができる。図２６Ａ−２６Ｃの特定の実施形態では、患者状態インジケータ４９０は、疼痛立方体又は疼痛サイコロ実施形態として構成される。立方体の各側面のアイコンは、異なる疼痛レベルの１つに関連付けられる。この実施形態では、疼痛レベルが図２５Ａ−２５Ｆに示されて説明されており、他は、異なる実施形態に使用することができ、又は特定のユーザ構成に合わせることができる。各アイコンは、本明細書に説明する一意的機械可読要素に関連付けられる。上述の実施形態と同様に、接着性のベース及び各ベースに含まれる機械可読要素も存在する。ベース及び要素は個別の要素にすることができ、又は単一結合要素として作ることができる。患者状態インジケータを構成することができ、それによって患者状態インジケータがスキャナを通り越した時にタグ読取器によって登録される患者状態が上になるか又は下になる。各示された状態に関連付けられた機械可読要素１４は、特定の患者状態インジケータ実施形態に使用される望ましい読取器状態に応答して適切に位置決めされる。
【０１２６】
図２６Ａに示す実施形態では、レベル８疼痛アイコンが一番上に見え、２つの他のアイコンには他の２つの眼に見える顔が示されている。図２６Ｂは、図２６Ａの機械可読患者状態インジケータ４９０を示し、ここでは「レベル０」の顔が上面にあり、図２６Ｃは、上面に「レベル６」の顔を示している。
【０１２７】
一実施形態では、ＲＦＩＤスティッカーが小さい立方体の各顔（約１．５平方インチの顔）に取り付けられる。一態様では、６つの疼痛レベルの表情、数字、及びテキストを含む従来の市販接着ラベルが印刷される。印刷された疼痛表情ラベルは、ＲＦＩＤスティッカーに取り付けられ、ＲＦＩＤスティッカーの各々が、対応する疼痛レベルに対して符号化される。第１のスティッカー＝０、第２のスティッカー＝２、第３のスティッカー＝６等々である。６つの疼痛レベルがあり各レベルがサイコロの単一面に関連付けられる。より多いか又は少ないレベルアイコンを有する他の疼痛スケールを一意的疼痛レベルの数に対応する多面の物体の各一意的面に取り付けられたアイコン及び機械可読要素と併用することができる。
【０１２８】
疼痛サイコロ使用ケースに対して構成された例示的機械可読患者状態インジケータ４９０
【０１２９】
毎朝又は何時でも、本明細書に説明する活動モニタシステムのユーザは、ユーザの現在の健康の感覚を表す疼痛サイコロの面をスキャナに提示する。スキャナは、図示の顔のスティッカーだけを記録する。スティッカーが読み取られた日付及び時間は、タグが検出された時に記録される。スキャナに疼痛立方体の適切な顔を提示するアクションは、患者の疼痛／健康のレベルの履歴記録を形成する。この後に、ユーザログ、レポート、画面図、ダッシュボード、又は他の更新は、走査された疼痛又は健康表示を含むことができる。
【０１３０】
１つの代替構成では、機械可読患者状態インジケータ４９０又はユーザ疼痛サイコロ又は健康インジケータの各走査時に介護者に通知（例えば、テキスト／ボイスメール／電子メール／又はアプリケーションアラート）を含むように上記に詳述された活動モニタシステム又はＰｉｌｌＤｒｉｌｌシステム警報システムを修正することができる。機械可読患者状態インジケータ４９０の一意的な顔の発生の検出を提供することで、介護者が患者の健康の現在の自己報告状態をリアルタイムで知ることを可能にする。有利なことに、これは、「逼迫した」患者の関連で特に有利である。自己報告疼痛／健康の追加は、ユーザ／患者が予定された薬剤を摂取していることを報告する／知るという上述の利点に加えて追加の心の平安を介護者に提供する。
【０１３１】
更に別の有利な構成では、機械可読患者状態インジケータ４９０は、介護者に健康状態を伝えるための患者のための非常に単純な方法を可能にする。ユーザ又は患者は、スキャナ又は読取器の範囲に機械可読患者状態インジケータ４９０の該当する顔を位置決めするだけでよい。これは、患者と介護者の間に存在する複雑な心理的／感情的関連の関連で特に重要である。多くの場合に、患者の次善の状態及び患者をモニタする必要性によって介護者が負わされる患者内の潜在する罪がある。患者は、介護者に自分の状態を積極的に伝えることを義務と感じることが多いが、これを実行する従来的な手段（例えば、電話、電子メール、テキストなど）は、患者の側に重大な時間の投資及び努力を要求することが多い。機械可読患者状態インジケータ４９０を使い易くすることは、システムスキャナ又は読取器に対するサイコロの単純な走査又は波だけを要求することによってその力学を大いに変える。介護者は、患者の自己報告の健康を即座に知る。
【０１３２】
健康又は気分は、患者状態インジケータ４９０のいくつかの異なる構成のいずれによっても提供することができる。疼痛スケール（図２５Ａ−２６Ｃ）とは対照的に又はこれに加えて、任意の代替患者状態を図３９及び４０に示している。図３９は、数字スケール及び単純な顔面表情を使用した機械可読患者状態インジケータ４９０の実施形態を示している。図４０は、テキスト及び１又は２以上のドット又はバンプ又は他の触覚要素を使用した機械可読患者状態インジケータ４９０の別の実施形態を示している。図４０の実施形態では、患者状態インジケータ４９０は、ＯＫ、ＧＲＥＡＴ、ＦＩＮＥ、ＧＯＯＤのようなテキスト記述子又は患者の状態を示すために患者によって選択される同等の表現を使用する。図４０の実施形態には、テキスト記述子に対応する一連のドットが示されている。ドットは、健康の追跡を助けるためにテキスト記述子を数値に変換するためのスケールレベルを提供する。任意的に、図４０に示す一連のドットは、視力障害又は盲目のユーザによる使用を可能にするために触知性又は点字テキストにすることができる。これに加えて又は任意的に、テキストの文字又は画像の一部分は、視覚障害又は盲目のユーザによる患者インジケータ４９０の使用を同様に助けるために触覚認知のために膨らませるか又は質感を持たせることができる。
【０１３３】
機械可読患者健康インジケータ４９０の追加の利点は、インジケータ４９０の使用による追加走査活動であり、ユーザがまだ移動でき、落ちていないか又は他に手を離せないことを示す。更に別の利点では、機械可読患者状態インジケータ４９０の定期的な使用が、患者及び介護者の両方に患者の健康における更に細かい視点を提供する。
【０１３４】
機械可読患者状態インジケータ４９０の実施形態の別の追加の長所又は利点は、相関付け／トリガ追跡である。一態様では、どう感じているか（すなわち、自己報告健康）に関する一連のタイムスタンプデータポイントを取り込むことで、アクションと健康の間のトリガ又は相関付けを区別する関連で有用であることを証明することができる。活動モニタシステム又はＰｉｌｌＤｒｉｌｌシステムは、個人が、あらゆる身体的アクション、例えば、食事又は軽食を食べる、朝の運動、カフェイン消費、又は一例を含むと追跡される他のアクションを追跡することを可能にし、時間と共に記録されたアクションは、追跡されるアクションを機械可読患者状態インジケータ４９０記録に相関付けることができる。１又は２以上の検出された相関関係パターンは、患者の介護に有用なトリガ又は他のファクタを決定するのに使用される情報を提供することができる。一例は、ある薬剤に対する拒否反応である。患者自己報告健康が３０日間グラフにされる例を考える。自己報告健康と共に、１又は２以上の薬物の活動追跡情報がある。これらの２つのデータセットの分析は、ある薬剤を取るある期間内に患者がユーザの一般的な読取りよりかなり悪い機械可読患者状態インジケータ４９０の読取値を記録したことを明らかにすることができる。更に他の態様では、類似のパターン適合が、患者の健康における重大な変化をトリガしたアクション（薬剤ではなく）を識別することができる。一例として、患者が運動を実行していない日よりも瞑想又は運動した日に良い機械可読患者状態インジケータ４９０の健康状態を記録した場合に、健康表示相関関係を使用して、健康の増加に至る挙動を強化することができる。類似の方法で、記録された健康表示を使用して、低健康スコアに至る活動又は活動の組合せを避けることができる。
【０１３５】
更に他の態様では、上述の機械可読患者状態インジケータ４９０の概念によって例示されるユーザの健康に関する情報をデジタルで記録するためにアナログデバイスを使用する概念は、活動、活動の持続時間、又は一般的な健康以外の他の状態又は表示のような追加のユーザ情報の記録に拡張することができる。一態様では、ユーザ定義スティッカーが印刷され、又は一意的機械識別可能要素と共に又はユーザが本明細書に説明する他の活動又は投与情報と共に記録したいと思う活動又は他の表示に対応する一意的機械識別可能要素と組み合わせてアプリケーションのために単独で提供される複数の側面のあるデバイスを提供する。１つの特定の実施例では、ユーザの多面ブロックを症状ブロック又はサイコロとすることができる。一意的に識別可能な機械可読状態の側面は、例えば、咳、鬱血、頭痛、熱、悪寒、下痢、のどの痛み、痛み又は極度の疲労のうちの１又は２以上を例えば風邪又はインフルエンザを患っている時の状態のセットとして含むことができる。患者が患っている特定の病気又は不調に対応するように選択されたユーザ状態の異なるセットに基づいて他の異なる状態を異なる症状サイコロ又はブロックに提供することができる。更に別の態様では、術後の回復のカギになる状態又は症状サイコロ又は多面ブロックを存在させることができる。１つの実施例では、関節置換術を受けたユーザは、関節又は処置に対する凝り又は腫れ又は疼痛の表示と共に冷感療法又は物理的療法が実行された時間を示すことができる。
【０１３６】
更に別の態様では、本明細書に説明する活動又は投与スケジューリングシステムの実施形態を本明細書に説明するシステムからの通知に介護者が応答することができるように修正することができる。これに代えて、本発明のシステムは、アプリケーション内又はウェブサイト又は活動又は投与追跡システムのモバイルバージョン内で介護者が通知を送信することを可能にすることができる。
【０１３７】
一態様では、活動モニタ及び追跡システムの１つのバージョンは、アプリケーション又はウェブサイトの中からアクション（投与を摂取し、健康又は症状サイコロを走査するなど）の容易な確認又は肯定応答を許可することによって又は本明細書に説明するように発生された更新又は他のレポートに返答又は応答することにより、ユーザと介護者の間のフィードバックループの閉鎖を提供するように適応かつ構成される。従って、患者がアクション又は健康又は症状又は活動表示を走査した時に、状況に応答して励ましを与えるか又は同情を表現することができる介護者からの反応によって患者は肯定される。通知及び介護者フィードバックのルックを閉じることにより、介護者からの適時の報酬／承認がユーザに提供される（すなわち、表示、症状、健康、又は活動サイコロ走査処理のフィードバックループを閉じることによる即時のドーパミン褒賞を引き起こす）。そのようなアクション及び褒賞挙動は、粘り強い習慣になるように活動又は投与モニタシステム使用の良い機会をユーザに与える。
【０１３８】
これに加えて又はこれに代えて、ＰｉｌｌＤｒｉｌｌアプリケーションの実施形態（すなわち、上述の活動又は投与モニタ及びリマインドシステムのうちの１又は２以上を実施するように設計されたアプリケーション）は、１つのタップで介護者が健康、活動、症状、又は他の表示サイコロ又はブロックからの走査に対して肯定応答／反応するように適応かつ構成される。一態様では、この目的のためにアプリケーションのアイコンのセットを提供する。様々な事前定義式又はユーザ選択式アイコンのいずれも、例えば、患者が自分の感情が良いことを宣言する「サムアップ」記号、介護者が読取値を解釈する方法が分からない時の「クエスチョンマーク」、又は介護者に電話するように患者に示すための「電話」記号を使用することができる。特に機械可読患者状態インジケータ４９０に関して、追加の利点は、ユーザが、介護者の忙しい生活に対して患者によって抱かれることが多い「あなたを煩わせたくない」という負担の感情の烙印から逃れられることである。健康、活動、状態、又は症状のユーザが示した走査に介護者が応答するための使い易さの結果として、状態走査に応じたアプリケーションの提供されたアイコン／記号のいずれかをタップした介護者は、患者が見られるようにＰｉｌｌＤｒｉｌｌデバイスの画面に即座にそのような記号を送信する。更に別の態様では、アプリケーションは、患者が見られるようにＰｉｌｌＤｒｉｌｌデバイス上にリアルタイムで表示されるアプリケーションから介護者によって開始することができる追加の活動／記号／コメントを含むように適応かつ構成される。１つの単純な例では、介護者によって受信した摂取し損なった投与警報に基づいて介護者によるオンデバイス薬剤リマインダーの再送を可能にする機能がある。
【０１３９】
図２７−４０は、例示的ユーザ活動追跡システム４００の様々な図及び詳細を示している。図２７は、活動タグ読取器３０、７つの機械可読容器４０５を含有するトレイ４３０、及び機械可読患者健康インジケータ４９０を有する追跡システム４００の斜視図である。一実施形態では、ユーザ活動追跡システム４００は、活動タグ読取器３０と、対応する数の一意的に識別された容器４０５を受け入れるように適応かつ構成されたいくつかの受容器４０２を含むトレイ４３０を含む。容器４０５の各容器は、一意的活動タグ１０を含む。任意的に、機械可読ユーザ状態識別子４９０も提供する。
【０１４０】
図２７に示す活動タグ読取器３０は、本明細書に説明する他のタグ読取器と同様に構成される。活動タグ読取器３０のこの実施形態では、上部の傾斜面にディスプレイ３４を含む長楕円の本体３２がある。ディスプレイ３４は楕円形を有し、スキャナ３６及びユーザ対話ボタン４３２、４３４、及び４３６が側面のいずれかの側に密着している。タグスキャナ３６は、デバイスの右手側に提供される。ユーザがタグ読取器３０によって活動タグが走査されるように活動タグが位置決めされた場所を示すために６０のスキャナアイコンを提供する。ベゼル４７０が、ユーザ対話ボタン４３２、４３４、４３６、ディスプレイ３４、及びスキャナ３６を取り囲み、活動タグ読取器３０の上部境界を形成している。作動中に、ベゼルが点灯し、点滅し、又は活動モニタシステムによって提供される警告又はフィードバックの活動に対応する他の視覚表示を提供することができる。一部の実施形態では、ベゼルの点灯作動は、活動タグ読取器３０内に含有されたスピーカから発する音に対応する。活動タグ読取器３０によって発せられる光及び音は、上記に開示した作動特徴、警告、リマインダー、又は本明細書に説明する順守及び準拠特徴のいずれにも対応することができる。
【０１４１】
図２７に示す機械可読容器４０５の追加の詳細は、図２８、２９、３０、及び３１に示す様々な図に関して理解することができる。図２８は、機械可読容器４０５の斜視図である。図２９は、図２８の機械可読容器４０５を下から上に見た図である。図３０は、蓋４０５、本体１２、及びベース４２０の相対的な位置を示す図２８の機械可読容器４０５の分解図である。図３１は、蓋４０６を開いた状態の機械可読容器４０５の斜視図である。容器４０５は、中空円筒形ベース１２を含む。蓋４０６は、ベース１２の内側を閉め切る。蓋４０６は、蓋を開いて内側を露出させるのに使用される隆起部分４０６ａを含む。隆起部分４０６ａは、図３１の開いた状態で示された機械可読容器４０５に対して位置決めされる。図３０の分解図から良く分るように、蓋４０６は、容器本体の内側の適切なサイズにされた凹部４１２に摩擦嵌めするようなサイズにされた１対のピン４０８を含む。隆起部分４０６ａは、ヒンジをカチッと開きやすいようにするためにピン４０８に対して大きさを決定されて位置決めされる。
【０１４２】
機械可読容器４０５に関連付けられた一意的活動タグ１４がベース４２０に位置付けられることは図３０の分解図から良く分る。図２９の底面図は、機械可読要素１４の位置を示すアイコン１６の実施形態を示している。図２９に示す走査アイコンは、活動追跡システムによって容器が読み取られるように活動タグ読取器３０のスキャナ３６に隣接して位置決めされる容器４０５の部分の位置を識別する。
【０１４３】
図３２、３３、３４、３５、及び３６は、機械可読容器４０５と併用するように構成されたトレイ４３０の様々な図を示している。図３２は、容器４０５を保持するようなサイズにされた複数のソケット４０２を有するトレイ４３０の斜視図である。この例示的実施形態では、１週間の毎日の錠剤活動追跡に対して構成された７つのソケット４０２がある。ストラップ４３２は、スナップクロージャ４３４ａ、ｂによって定位置に保持された容器トレイ４３０の長さに沿って提供される。図３５及び３６は、トレイ内の複数の機械可読容器を固定するためのストラップの使用を示している。図３５で良く分るように、スナップクロージャ４３４ｂがスナップクロージャ４３４ａから解除され、ストラップ４３２が延びている。この後に、ストラップ４３２は、トレイ４３０の各端部でかつトレイ４３０内の機械可読容器４０５の各々の蓋４０６にわたって凹部４３８内に置かれる（図３６）。容器又は０５高さ、及び蓋４０６の寸法は、トレイ４３０のストラップ及び凹部又は３８と協働するように適応かつ構成される。この構成では、スナップクロージャ４３４ａ、ｂは、トレイ４３０のソケット４０２内の容器４０５を固定するストラップ４３２によって閉じられる。ストラップは、トレイの一端から凹部を通って各容器の蓋、別の凹部にわたって延び、次に、トレイの端部に戻って固定される。
【０１４４】
図３４は、ソケット４０２から１つの機械可読容器（すなわち、アイコンＷｅ１を備えた）が取り除かれた７つの機械可読容器４０５を充填されたトレイ４３０の斜視図である。一態様では、トレイ４３０及び複数のソケット４０２は、機械可読容器４０５を保持するための単に便利な容器として提供される。代替実施形態では、トレイ４３０は、機械可読容器４０５の除去、配置、除去／交換、又は正しい配置を検出するのに使用される各ソケット４０２内の検出器又はインジケータを含むように構成することができる。これに加えて、トレイ４３０は、ソケットインジケータの作動を検出し、かつソケット検出器の作動の有線又は無線通信を活動タグ読取器３０に提供するように適応かつ構成されたプロセッサ又はコントローラを含むことができる。このようにして、トレイ４３０はまた、例えば、欠落容器の追加の検査を提供することができ、又は容器が取り除かれたが対応するスワイプが活動タグ読取器３０によって捕捉されなかった場合に、システムは、本明細書に説明するアラーム、リマインダー、又は他の表示を提供することができる。
【０１４５】
トレイ４３０はまた、横側面に沿って延びる協働取り付け構成要素４３６を含む。協働取り付け構成要素４３６を使用して２、３、又は４以上のトレイ４３０を互いに結合することができる。図３７及び３８は、空のソケット４０２（図３７）及び機械可読容器４０５を含有するソケット（図３８）を有する隣接する相補型要素又は３６を使用して接合された２つのトレイ４３０を示している。１対の協働取り付け構成要素４３６の作動は、ストレイ４３０の隣接する相対的な位置を維持するのに十分な強度を有するナップ装着、摩擦嵌め、蟻継ぎ、ベルクロ（登録商標）（すなわち、マジックテープ（登録商標））のような様々な解除可能結合技術のうちのいずれを含むことができる。図３８は、１対の結合されたトレイ４３０の斜視図を示している。一方のトレイ４３０は、第１の毎日の投与（すなわち、アイコンＭｏ１、Ｔｕ１、Ｗｅ１、Ｔｈ１、Ｆｒ１、Ｓａ１、Ｓｕ１）に対して使用するための容器４０５で充填され、他方のトレイ４３０は、第２の毎日の投与（すなわち、アイコンＭｏ２、Ｔｕ２、Ｗｅ２、Ｔｈ２、Ｆｒ２、Ｓａ２、Ｓｕ２）に使用するための容器４０５で充填される。
【０１４６】
以上の説明は多くの詳細を包含するが、これらは、本発明の範囲を制限するものとしてではなく単に本発明の現在好ましい実施形態のうちの一部の例示を提供するものとして解釈しなければならない。従って、本発明の範囲は、当業者に明らかになる他の実施形態を完全に含むこと、及び本発明の範囲は、従って、他に明示的に示されない限り「１つかつ唯一」を意味するように意図せず、むしろ「１又は２以上」である添付の特許請求の範囲以外の何ものによっても制限されないことは認められるであろう。
【符号の説明】
【０１４７】
１４  機械検出可能要素
３０  活動タグ読取器
４００  追跡システム
４０５  機械可読容器
４９０  機械可読患者状態インジケータ
【図１Ａ】
0006768683.tif 000003
【図１Ｂ】
0006768683.tif 000004
【図１Ｃ】
0006768683.tif 000005
【図１Ｄ】
0006768683.tif 000006
【図１Ｅ】
0006768683.tif 000007
【図１Ｆ】
0006768683.tif 000008
【図１Ｇ】
0006768683.tif 000009
【図１Ｈ】
0006768683.tif 000010
【図１Ｉ】
0006768683.tif 000011
【図２Ａ】
0006768683.tif 000012
【図２Ｂ】
0006768683.tif 000013
【図２Ｃ１】
0006768683.tif 000014
【図２Ｃ２】
0006768683.tif 000015
【図２Ｄ】
0006768683.tif 000016
【図３Ａ】
0006768683.tif 000017
【図３Ｂ】
0006768683.tif 000018
【図３Ｃ】
0006768683.tif 000019
【図３Ｄ】
0006768683.tif 000020
【図４】
0006768683.tif 000021
【図５】
0006768683.tif 000022
【図６】
0006768683.tif 000023
【図７】
0006768683.tif 000024
【図８】
0006768683.tif 000025
【図９Ａ】
0006768683.tif 000026
【図９Ｂ】
0006768683.tif 000027
【図９Ｃ】
0006768683.tif 000028
【図９Ｄ】
0006768683.tif 000029
【図９Ｅ】
0006768683.tif 000030
【図９Ｆ】
0006768683.tif 000031
【図９Ｇ】
0006768683.tif 000032
【図１０】
0006768683.tif 000033
【図１１】
0006768683.tif 000034
【図１２Ａ】
0006768683.tif 000035
【図１２Ｂ】
0006768683.tif 000036
【図１３Ａ】
0006768683.tif 000037
【図１３Ｂ】
0006768683.tif 000038
【図１４】
0006768683.tif 000039
【図１５】
0006768683.tif 000040
【図１６Ａ】
0006768683.tif 000041
【図１６Ｂ】
0006768683.tif 000042
【図１７Ａ】
0006768683.tif 000043
【図１７Ｂ１】
0006768683.tif 000044
【図１７Ｂ２】
0006768683.tif 000045
【図１７Ｃ１】
0006768683.tif 000046
【図１７Ｃ２】
0006768683.tif 000047
【図１８Ａ】
0006768683.tif 000048
【図１８Ｂ】
0006768683.tif 000049
【図１８Ｃ】
0006768683.tif 000050
【図１８Ｄ】
0006768683.tif 000051
【図１９】
0006768683.tif 000052
【図２０】
0006768683.tif 000053
【図２１】
0006768683.tif 000054
【図２２】
0006768683.tif 000055
【図２３】
0006768683.tif 000056
【図２４】
0006768683.tif 000057
【図２５Ａ】
0006768683.tif 000058
【図２５Ｂ】
0006768683.tif 000059
【図２５Ｃ】
0006768683.tif 000060
【図２５Ｄ】
0006768683.tif 000061
【図２５Ｅ】
0006768683.tif 000062
【図２５Ｆ】
0006768683.tif 000063
【図２６Ａ】
0006768683.tif 000064
【図２６Ｂ】
0006768683.tif 000065
【図２６Ｃ】
0006768683.tif 000066
【図２７】
0006768683.tif 000067
【図２８】
0006768683.tif 000068
【図２９】
0006768683.tif 000069
【図３０】
0006768683.tif 000070
【図３１】
0006768683.tif 000071
【図３２】
0006768683.tif 000072
【図３３】
0006768683.tif 000073
【図３４】
0006768683.tif 000074
【図３５】
0006768683.tif 000075
【図３６】
0006768683.tif 000076
【図３７】
0006768683.tif 000077
【図３８】
0006768683.tif 000078
【図３９】
0006768683.tif 000079
【図４０】
0006768683.tif 000080